(57)【要約】【課題】送受信データ量の少ないネットワーク上の端末情報配信システムで、有料で予想データを公開できる競技結果予想システムを提供する。【解決手段】ネットワーク上の競技結果予想システムは、携帯端末、コンテンツプロバイダーサーバー、携帯端末にダウンロードされたソフトウェアとから構成する。コンテンツプロバイダーサーバーは携帯端末からタスク要求を受信する手段と、データベースに記憶された各種データを検索、及びまたは更新する手段と、該携帯端末にデータを配信する手段を備える。携帯端末のソフトウェアは、コンテンツプロバイダーより受信したデータを、あらかじめ記憶されたレイアウト（スタイルシート）データに基づき表示する手段を備える。【選択図】  図１１
2004227400.tif 000002
【特許請求の範囲】
【請求項１】
複数の携帯端末と、前記複数の携帯端末からアクセス可能な一又は複数のコンテンツプロバイダーサーバーと、コンテンツプロバイダーサーバーより複数の携帯端末にダウンロードされたソフトウェアから構成されるネットワーク端末情報配信システムにおいて、
前記コンテンツプロバイダーサーバーは、前記携帯端末にソフトウェアを配信する手段と、前記携帯端末からタスク要求を受信する手段と、前記受信したタスク要求に基づきデータを検索する手段と、検索されたデータを前記携帯端末に配信する手段とを有し、
前記携帯端末は、前記コンテンツプロバイダーサーバーより配信されたソフトウェアを記憶する手段と、前記コンテンツプロバイダーサーバーに利用者の要望に応じてタスク要求を送信する手段と、各種データを受信および記憶する手段と、コンテンツプロバイダーサーバーより受信した各データを前記ソフトウェアに記憶されたレイアウトデータに基づき携帯端末の表示部に表示する手段と、を有することを特徴とするネットワーク端末情報配信システム。
【請求項２】
請求項１記載のネットワーク端末情報配信システムにおいて、
前記コンテンツプロバイダーサーバーと前記携帯端末とのデータの送受信において、既に送受信を終えたデータを重複して送受信を行わないために、
前記コンテンツプロバイダーサーバーはデータに独自のＩＤデータを付与する手段と、前記携帯端末に前記ＩＤデータを付与したデータを送信する手段とを有し、
前記携帯端末は、前記コンテンツプロバイダーサーバーより受信したデータをソフトウェア記憶部に記憶する手段と、コンテンツプロバイダーサーバーにデータの送信要求を行うタスク要求を行う際に、携帯端末のソフトウェア記憶部に記憶されたＩＤデータを付与して送信する手段とを有し、
前記コンテンツプロバイダーサーバーは、前記携帯端末よりタスク要求を受信し、該携帯端末に送信するデータを検索する際に、該携帯端末より付与されて受信したＩＤデータと同じＩＤデータを持つデータは、該携帯端末に送信するデータとしない判定を行う手段と、
を有することを特徴とするネットワーク端末情報配信システム。
【請求項３】
複数の携帯電話会社と、携帯電話会社と契約している複数の利用者と、前記利用者が使用する携帯端末、前記携帯電話会社と契約をしたコンテンツプロバイダー、コンテンツプロバイダーにより運営され、前記複数の携帯端末からアクセス可能な一または複数のコンテンツプロバイダーサーバー、コンテンツプロバイダーサーバーより複数の携帯端末にダウンロードされたソフトウェアと、予想データを有料公開した利用者が受け取る報酬額の振込先となる銀行と、該銀行にある予想データを有料公開した利用者の銀行口座から構成されるネットワーク上で開催される競技結果予想システムであって、
前記コンテンツプロバイダーサーバーは、複数の利用者より送信された予想データを、実際の競技の結果から該予想データに得点を与える手段と、前記得点を与えられた該予想データを予想結果データとして利用者毎に記憶する手段と、全利用者の予想結果データの得点を参照し、得点順に全ユーザーのランキングデータを作成する手段と、を有し、
前記コンテンツプロバイダーサーバーは、複数の利用者より前記携帯端末から送信された予想データを利用者毎に記憶する手段と、開催される競技毎に全ての利用者の予想データを、各利用者のランキングデータ順に並べられたデータを作成する手段と、
を有することを特徴とする競技結果予想システム。
【請求項４】
複数の携帯電話会社と、携帯電話会社と契約している複数の利用者と、前記利用者が使用する携帯端末、前記携帯電話会社と契約をしたコンテンツプロバイダー、コンテンツプロバイダーにより運営され、前記複数の携帯端末からアクセス可能な一または複数のコンテンツプロバイダーサーバー、コンテンツプロバイダーサーバーより複数の携帯端末にダウンロードされたソフトウェアと、予想データを有料公開した利用者が受け取る報酬額の振込先となる銀行と、該銀行にある予想データを有料公開した利用者の銀行口座から構成されるネットワーク上で開催される競技結果予想システムであって、
前記携帯端末は、前記コンテンツプロバイダーサーバーから配信されたソフトウェアを使用して利用者が競技結果の予想を行う手段と、
前記競技結果の予想データをコンテンツプロバイダーサーバーに送信する手段と、を有し、
利用者が前記競技結果の予想を行う際に、該予想を他の利用者に公開するか否かの設定を行える手段と、
を有することを特徴とする競技結果予想システム。
【請求項５】
前記利用者の競技結果の予想を行う手段は、
前記競技結果の予想を他の利用者に有料で公開をするか、もしくは無料で公開するかを選択する手段を含むことを特徴とする請求項３又は４に記載の競技結果予想システム。
【請求項６】
前記利用者の競技結果の予想を行う手段は、
前記競技結果の予想を他の利用者に公開する金額を利用者が設定することができる手段を含むことを特徴とする請求項３乃至５のいずれかに記載の競技結果予想システム。
【請求項７】
複数の携帯電話会社と、携帯電話会社と契約している複数の利用者と、前記利用者が使用する携帯端末、前記携帯電話会社と契約をしたコンテンツプロバイダー、コンテンツプロバイダーにより運営され、前記複数の携帯端末からアクセス可能な一または複数のコンテンツプロバイダーサーバー、コンテンツプロバイダーサーバーより複数の携帯端末にダウンロードされたソフトウェアと、予想データを有料公開した利用者が受け取る報酬額の振込先となる銀行と、該銀行にある予想データを有料公開した利用者の銀行口座から構成されるネットワーク上で開催される競技結果予想システムであって、
前記コンテンツプロバイダーサーバーは、前記携帯端末より受信した予想データにオリジナルのＩＤデータを予想ＩＤとして付与する手段を有することを特徴とする請求項３乃至６のいずれかに記載の競技結果予想システム。
【請求項８】
複数の携帯電話会社と、携帯電話会社と契約している複数の利用者と、前記利用者が使用する携帯端末、前記携帯電話会社と契約をしたコンテンツプロバイダー、コンテンツプロバイダーにより運営され、前記複数の携帯端末からアクセス可能な一または複数のコンテンツプロバイダーサーバー、コンテンツプロバイダーサーバーより複数の携帯端末にダウンロードされたソフトウェアと、予想データを有料公開した利用者が受け取る報酬額の振込先となる銀行と、該銀行にある予想データを有料公開した利用者の銀行口座から構成されるネットワーク上で開催される競技結果予想システムであって、
コンテンツプロバイダーサーバーは、前記携帯端末より他者の予想データの送信要求をタスク要求として受信した際は、予想内容となるデータを前記携帯端末に送信するのではなく、レースＩＤ、予想ＩＤ、ランキングデータ、ユーザー名データ、公開設定データを送信する手段を有することを特徴とする請求項３乃至７のいずれかに記載の競技結果予想システム。
【請求項９】
請求項８記載のネットワーク上で開催される競技結果予想システムにおいて、
前記携帯端末は、前記コンテンツプロバイダーサーバーより受信した他者の予想データを、表示部にランキング順に表示される手段を有することを特徴とする競技結果予想システム。
【請求項１０】
前記携帯端末にランキング順に他者の予想データを表示する手段は、
表示部に表示される他者予想データに、少なくとも各予想データが有料で公開されているのか、もしくは無料で公開されているのかを、該携帯端末を使用している利用者に通知する手段を含むことを特徴とする請求項３乃至９のいずれかに記載の競技結果予想システム。
【請求項１１】
前記携帯端末にランキング順に他者の予想データを表示する手段は、
前記携帯端末は、表示部に表示される他者予想データに、予想を公開している利用者の過去の実績を表す画像が表示される手段を含むことを特徴とする請求項３乃至１０のいずれかに記載の競技結果予想システム。
【請求項１２】
複数の携帯電話会社と、携帯電話会社と契約している複数の利用者と、前記利用者が使用する携帯端末、前記携帯電話会社と契約をしたコンテンツプロバイダー、コンテンツプロバイダーにより運営され、前記複数の携帯端末からアクセス可能な一または複数のコンテンツプロバイダーサーバー、コンテンツプロバイダーサーバーより複数の携帯端末にダウンロードされたソフトウェアと、予想データを有料公開した利用者が受け取る報酬額の振込先となる銀行と、該銀行にある予想データを有料公開した利用者の銀行口座から構成されるネットワーク上で開催される競技結果予想システムであって、
前記コンテンツプロバイダーサーバーは、有料設定された予想データの取得要求を行った前記携帯端末のユーザーデータおよび取得希望の予想データの予想ＩＤを受信する手段と、を有し、
前記受信したユーザーデータから取得要求を行った利用者のデータを課金・報酬データに追加する手段と、前記受信した予想ＩＤから、該予想データを公開した利用者を検索する手段を有し、前記検索された該予想データを公開した利用者のデータを課金・報酬データに追加する手段と、
を有することを特徴とする競技結果予想システム。
【請求項１３】
請求項１２記載のネットワーク上で開催される競技結果予想システムにおいて、
前記コンテンツプロバイダーサーバーは、請求項記載の課金・報酬データに追加されたデータで、受信者ユーザーＩＤ欄に入力されたユーザーＩＤを持つ利用者のユーザー別課金データにある徴収データを更新する手段と、を有し、
ユーザー別課金データの徴収データの合計徴収額欄に入力された値を該利用者に請求する依頼をコンテンツプロバイダーサーバーもしくはコンテンツプロバイダーが携帯電話会社に行うことを特徴とする競技結果予想システム。
【請求項１４】
請求項１２記載のネットワーク上で開催される競技結果予想システムにおいて、
前記コンテンツプロバイダーサーバーは、請求項記載の課金・報酬データに追加されたデータで、公開者ユーザーＩＤ欄に入力されたユーザーＩＤを持つ利用者のユーザー別課金データにある報酬データを更新する手段と、を有し、
ユーザー別課金データの報酬データの合計報酬額欄に入力された値を該利用者の指定した銀行口座にコンテンツプロバイダーが入金することを特徴とする競技結果予想システム。
【発明の詳細な説明】
【０００１】
【発明の属する技術分野】
本発明は、ネットワーク端末情報配信システムに関し、より詳しくは、ネットワーク上で開催される競技結果予想システムに参加するために、利用者がコンテンツプロバイダーの運営するサーバーにアクセスし、利用者の携帯端末にソフトウェアをダウンロードし、利用者は携帯端末のソフトウェアを使用してサーバーのデータベースに記憶された各情報の送信要求、及び／又は、更新要求を行い、一方で、サーバーから携帯端末へ送信されたデータを携帯端末のソフトウェアがアクセス可能な記憶手段に記憶し、前記記憶されたデータはソフトウェアに記憶されたスタイルシート（レイアウト）データに基づいて前記携帯端末の表示部に表示されるネットワーク端末情報配信システムを提供することを目的とする。
【０００２】
【従来の技術】
従来競馬、競輪、競艇、オートレースなど順位を競うレースにおいては、該レースの結果予想は、一般的には新聞等の紙媒体を用いて行われてきた。
【０００３】
また近年、コンピュータ・ネットワークや通信環境の発達に伴い、インターネットに代表されるネットワーク上でのレースの結果予想のデータを配信することも可能になっている。
【０００４】
また、ネットワーク上では各個人参加によるレース予想大会などが行われている。予想大会にはレース以外にもプロサッカーリーグ、プロ野球リーグの順位予想など様様な予想大会が行われている。
携帯端末に対して、様々なコンテンツを提供するシステムがある。利用者は、携帯端末を用いて、見たいコンテンツプロバイダーのサイトにアクセスすることで、希望するコンテンツを該携帯端末のディスプレイに表示させることができる。また、サーバーに蓄積されたデータおよびプログラムから最適な結果予想を行い、利用者に配信するシステムが特開２００２−２３０２１７に開示されている。このシステムではサーバーが予想結果を算出し、Ｗｅｂページにより提供するシステムである。
【０００５】
また各レースの情報をサーバーが利用者毎にカスタマイズし、提供するシステムが特開２００２−３２４０５に開示されている。このシステムでは、利用者が選択した各種情報から、サーバーが該利用者に最適なレース情報を選択し、自動で該利用者にメールで送信するシステムである。
【０００６】
【発明が解決しようとする課題】
しかし、従来のレース予想データの配信システムは、紙媒体であれば、紙媒体の発行者が決めた予想者の結果予想のデータが掲載され、ネットワーク上であれば、特開２００２−２３０２１７のようにサーバーが算出した予想結果のデータが利用者に配信されるというものである。しかし利用者にとってなじみのない者やコンピュータによって算出された結果予想のデータでは、趣に欠ける。
同様に特開２００２−３２４０５に開示されているシステムでは、利用者に最適なレース情報がメールで送信されるシステムでは、単に情報のみが送信されるだけであり、情報のみの表示では携帯端末の小さな表示部分では不便であり、かつ、レース情報の配信のみでは利用者にとって趣のあるシステムとはいえない。
またインターネット上で行われる予想大会では、利用者が端末からＷａｂサイトにアクセスし、Ｗａｂページとして表示される結果予想画面データや予想結果画面データを利用者の端末が受信し、利用者の端末が該画面を表示するというものである。この場合、携帯端末から前記Ｗａｂサイトにアクセスするたびに、該携帯端末はＷａｂサイトのデータを受信することになり、データの受信量に伴い、通信料金を徴収される利用者にとっては不便である。
また以前受信したデータを別の日に受信する場合も、Ｗａｂサイトに再度アクセスし、Ｗａｂページとして表示されるデータの受信を行わなければならず、通信料金を徴収されるのは不便である。
また従来のインターネット上で行われる予想大会のシステムでは、該大会に参加する利用者から情報料金（もしくは利用料金）を徴収する手段としては、クレジットカード決済やインターネットプロバイダーによる決済の方法が存在するが、利用者にとっても利用しづらい。したがって該大会に参加する利用者からの料金徴収を行わないことが一般的である。この場合、予想大会の主催者側としては、ビジネスとしてインターネット上での予想大会を行うことは不可能であった。
また従来のインターネット上で行われる予想大会のシステムでは、予想大会の参加者の予想は全て公開されるが、自分の予想を公開したくない者にとっては参加できない。
【０００７】
また従来のインターネット上で行われる予想大会のシステムでは、予想大会の参加者でランキングに関わりなく全ての参加者の予想が無料で公開されているが、ランキング上位者の予想は的中率が高いものである。ランキング上位者の予想を有料で公開し、該予想が他の利用者に公開されると一定の報酬が、該予想を公開した利用者に支払われることになれば、ランキングが上位になって予想を有料にて公開すればより大きな報酬が見込めるため、参加者の予想大会における熱意もあがり、よりいっそう予想大会は趣の高いものになる。
また前記該予想が他の利用者に公開されると支払われる報酬の金額を、予想を公開する利用者が設定できると、いっそう予想大会に参加している利用者の熱意もあがり、よりいっそう予想大会は趣の高いものになる。
本発明は、斯かる事情に鑑みてなされたものであり、コンテンツプロバイダーサーバーと携帯端末とでなされるデータの送受信量の少ないネットワーク端末情報配信システムを提供することを目的とする。
【０００８】
また本発明は、インターネット上で行われる予想大会で、参加者が自分の予想を公開するか否かの選択を行うことができ、かつ該予想を公開する場合は、有料で公開するか、もしくは無料で公開するかの選択が行えるインターネット上の競技結果予想システムを提供することを他の目的とする。
また本発明は、他の利用者によって有料で公開された競技の予想データを携帯端末に受信した利用者に、料金の徴収を行うことと、一方で、他の利用者に取得された有料の予想データを公開した利用者には有料金額に対する一定の報酬を支払うことを可能とするインターネット上の競技結果予想システムを提供することを他の目的とする。
【０００９】
【課題を解決するための手段】
（１）上記課題を解決するために、本発明に係るネットワーク端末情報配信システムは、複数の携帯電話会社と、携帯電話会社と契約している複数の利用者と、該利用者が使用する携帯端末、携帯電話会社と契約をしたコンテンツプロバイダー、コンテンツプロバイダーにより運営される一または複数のコンテンツプロバイダーサーバー、コンテンツプロバイダーサーバーより複数の携帯端末にダウンロードされたソフトウェアから構成されているネットワーク端末情報配信システムにおいて、前記コンテンツプロバイダーサーバーは、前記携帯端末にソフトウェアを配信する手段と、前記携帯端末からユーザーデータとタスク要求とを受信する手段と、前記受信したユーザーデータか、あるいはタスク要求に基づきデータを記憶、かあるいは検索する手段と、前記携帯端末にデータを配信する手段を有し、前記携帯端末は、前記コンテンツプロバイダーサーバーに利用者の要望に応じてタスク要求を送信する、もしくはユーザーデータを送信する手段と、前記コンテンツプロバイダーサーバーよりソフトウェアと、各種データを受信および記憶する手段と、コンテンツプロバイダーサーバーより受信した各データを前記ソフトウェアに記憶されたレイアウトデータに基づき、携帯端末の表示部に表示する手段と、を有することを特徴とする。
【００１０】
（２）さらに、（１）に記載のネットワーク端末情報配信システムにおいて、前記コンテンツプロバイダーサーバーからソフトウェアをダウンロードした利用者は毎月一定の料金を情報料金、かあるいは利用料金として前記携帯電話会社に支払い、前記利用者から料金を徴収した前記携帯電話会社は一定の料金を手数料として徴収した金額から差し引いた金額を、前記コンテンツプロバイダーに支払うことを特徴とする。
【００１１】
（３）また上記課題を解決するために、複数の携帯電話会社と、携帯電話会社と契約している複数の利用者と、前記利用者が使用する携帯端末、前記携帯電話会社と契約をしたコンテンツプロバイダー、コンテンツプロバイダーにより運営され、前記複数の携帯端末からアクセス可能な一または複数のコンテンツプロバイダーサーバー、コンテンツプロバイダーサーバーより複数の携帯端末にダウンロードされたソフトウェアと、予想データを有料公開した利用者が受け取る報酬額の振込先となる銀行と、該銀行にある予想データを有料公開した利用者の銀行口座から構成されるネットワーク上で開催される競技結果予想システムにおいて、前記コンテンツプロバイダーサーバーと前記携帯端末とのデータの送受信において、既に送受信を終えたデータを重複して送受信を行わないために、記コンテンツプロバイダーサーバーはデータに独自のＩＤデータを付与する手段と、前記携帯端末に前記ＩＤデータを付与したデータを送信する手段とを有し、
前記携帯端末は、前記コンテンツプロバイダーサーバーより受信したデータをソフトウェア記憶部に記憶する手段と、コンテンツプロバイダーサーバーにデータの送信要求を行うタスク要求を行う際に、携帯端末のソフトウェア記憶部に記憶されたＩＤデータを付与して送信する手段とを有し、
前記コンテンツプロバイダーサーバーは、前記携帯端末よりタスク要求を受信し、該携帯端末に送信するデータを検索する際に、該携帯端末より付与されて受信したＩＤデータと同じＩＤデータを持つデータは、該携帯端末に送信するデータとしない判定を行う手段と、を有することを特徴とする。
【００１２】
（４）さらに、複数の携帯電話会社と、携帯電話会社と契約している複数の利用者と、該利用者が使用する携帯端末、携帯電話会社と契約をしたコンテンツプロバイダー、コンテンツプロバイダーにより運営される一または複数のコンテンツプロバイダーサーバー、コンテンツプロバイダーサーバーより複数の携帯端末にダウンロードされたソフトウェアから構成されているネットワーク上で開催される競技結果予想システムにおいて、前記コンテンツプロバイダーサーバーは、複数の利用者より送信された予想データを、実際の競技の結果から該予想データに得点を与える手段と、前記得点を与えられた該予想データを予想結果データとして利用者毎に記憶する手段と、全利用者の予想結果データの得点を参照し、得点順に全ユーザーのランキングデータを作成する手段と、を有し、前記コンテンツプロバイダーサーバーは、複数の利用者より前記携帯端末から送信された予想データを利用者毎に記憶する手段と、開催される競技毎に全ての利用者の予想データを、各利用者のランキングデータ順に並べられたデータを作成する手段と、を有することを特徴とする。
【００１３】
（５）さらに、複数の携帯電話会社と、携帯電話会社と契約している複数の利用者と、該利用者が使用する携帯端末、携帯電話会社と契約をしたコンテンツプロバイダー、コンテンツプロバイダーにより運営される一または複数のコンテンツプロバイダーサーバー、コンテンツプロバイダーサーバーより複数の携帯端末にダウンロードされたソフトウェアから構成されているネットワーク上で開催される競技結果予想システムにおいて、前記携帯端末は、前記コンテンツプロバイダーサーバーから配信されたソフトウェアを使用して利用者が競技結果の予想を行う手段と、前記競技結果の予想データをコンテンツプロバイダーサーバーに送信する手段と、を有し、利用者が前記競技結果の予想を行う際に、該予想を他の利用者に公開するか否かの設定を行える手段と、を有することを特徴とする。
【００１４】
（６）さらに（１）乃至（５）のいずれかに記載のネットワーク上で開催される競技結果予想システムにおいて、前記競技結果の予想を他の利用者に有料で公開をするか、もしくは無料で公開するかを選択する手段を含むことを特徴とする。
【００１５】
（７）さらに（１）乃至（６）のいずれかに記載のネットワーク上で開催される競技結果予想システムにおいて、前記競技結果の予想を他の利用者に公開する金額を利用者が設定することができる手段を含むことを特徴とする。
【００１６】
（８）さらに（１）乃至（７）のいずれかに記載のネットワーク上で開催される競技結果予想システムにおいて、前記コンテンツプロバイダーサーバーは、前記携帯端末より受信した予想データにオリジナルのＩＤデータを予想ＩＤとして付与する手段を有することを特徴とする。
【００１７】
（９）また、（１）乃至（８）のいずれかに記載のネットワーク上で開催される競技結果予想システムにおいて、コンテンツプロバイダーサーバーは、前記携帯端末より他者の予想データの送信要求をタスク要求として受信した際は、予想内容となるデータを前記携帯端末に送信するのではなく、レースＩＤ、予想ＩＤ、ランキングデータ、ユーザー名データ、公開設定データを送信する手段を有することを特徴とする。
【００１８】
（１０）また、（１）乃至（９）のいずれかに記載のネットワーク上で開催される競技結果予想システムにおいて、前記携帯端末は、前記コンテンツプロバイダーサーバーより受信した他者の予想データを、表示部にランキング順に表示される手段を有することを特徴とする。
【００１９】
（１１）また、（１）乃至（１０）のいずれかに記載のネットワーク上で開催される競技結果予想システムにおいて、表示部に表示される他者予想データに、少なくとも各予想データが有料で公開されているのか、もしくは無料で公開されているのかを、該携帯端末を使用している利用者に通知する手段を含むことを特徴とする。
【００２０】
（１２）また、（１）乃至（１１）のいずれかに記載のネットワーク上で開催される競技結果予想システムにおいて、前記携帯端末は、表示部に表示される他者予想データに、予想を公開している利用者の過去の実績を表す画像が表示される手段を含むことを特徴とする。
【００２１】
（１３）また、（１）乃至（１２）のいずれかに記載のネットワーク上で開催される競技結果予想システムにおいて、前記コンテンツプロバイダーサーバーは、有料設定された予想データの取得要求を行った前記携帯端末のユーザーデータおよび取得希望の予想データの予想ＩＤを受信する手段と、を有し、前記受信したユーザーデータから取得要求を行った利用者のデータを課金・報酬データに追加する手段と、前記受信した予想ＩＤから、該予想データを公開した利用者を検索する手段を有し、前記検索された該予想データを公開した利用者のデータを課金・報酬データに追加する手段と、を有することを特徴とする。
【００２２】
（１４）また、（１）乃至（１３）のいずれかに記載のネットワーク上で開催される競技結果予想システムにおいて、前記コンテンツプロバイダーサーバーは、請求項記載の課金・報酬データに追加されたデータで、受信者ユーザーＩＤ欄に入力されたユーザーＩＤを持つ利用者のユーザー別課金データにある徴収データを更新する手段と、を有し、ユーザー別課金データの徴収データの合計徴収額欄に入力された値を該利用者に請求する依頼をコンテンツプロバイダーサーバーもしくはコンテンツプロバイダーが携帯電話会社に行うことを特徴とする。
【００２３】
（１５）また、（１）乃至（１４）のいずれかに記載のネットワーク上で開催される競技結果予想システムにおいて、前記コンテンツプロバイダーサーバーは、請求項記載の課金・報酬データに追加されたデータで、公開者ユーザーＩＤ欄に入力されたユーザーＩＤを持つ利用者のユーザー別課金データにある報酬データを更新する手段と、を有し、ユーザー別課金データの報酬データの合計報酬額欄に入力された値を該利用者の指定した銀行口座にコンテンツプロバイダーが入金することを特徴とする。
【００２４】
【発明の実施の形態】
以下、本発明について図面を参照して説明する。図１は、本発明に係るシステムの構成を示す図である。
【００２５】
本発明のシステムは、複数の携帯電話会社３０、各携帯電話会社３０と契約している複数の利用者が使用する携帯端末２０、携帯電話会社３０と契約をしたコンテンツプロバイダー４０、コンテンツプロバイダー４０により運営されるコンテンツプロバイダーサーバー１０、コンテンツプロバイダーサーバー１０より携帯端末２０にダウンロードされたソフトウェア１００から構成されている。ただし本構成に限らず、適宜別の項目を設けてもよい。
【００２６】
コンテンツプロバイダーサーバー１０からソフトウェア１００をダウンロードしたユーザーは毎月一定の料金を利用料金として携帯電話会社３０に支払われる。図１では月額利用料金３００円。ユーザーから月額利用料金を徴収した携帯電話会社３０は一定の料金（図１では６０円）を手数料として徴収した後、コンテンツプロバイダー４０にユーザーより徴収した料金を支払う（図１では２４０円）。なおユーザーから利用料を徴収するのは、月額料金を徴収せずに、ソフトウェア１００をダウンロードした場合に一度徴収されるなど、別途設定をしてもよい。
【００２７】
利用者は携帯端末２０を用いてコンテンツプロバイダーが提供するコンテンツプロバイダーサーバー１０にアクセスすると、図３に示されるようなメニュー画面が表示される。このメニュー画面は、各コンテンツプロバイダー４０が独自に作成する。
【００２８】
図２は携帯端末２０の概略ブロック図である。携帯端末２０は、携帯端末の全体を制御する制御部２９０と、テンキーや各種入力キーなどからなる入力部２１０と、無線通信網・基地局を介して通信などを行う通信部２４０と、携帯端末の電話番号などを記憶している記憶部２５０と、各種情報を表示する表示部２２０と、受信した音声等を出力するスピーカー２７０と、音声等を入力するマイク２３０と、携帯端末の各部に電源を供給するためのバッテリー２８０と、コンテンツプロバイダー４０よりダウンロードされたソフトウェア１００、及び又は各種データを記憶するデータ記憶部２６０とを備えている。
尚、携帯端末は、アナログ方式、デジタル方式の何れであってもよいが、無線区間の通信が比較的安定し、高速通信が可能なデジタル方式が好ましい。また、携帯端末は、ＰＤＣ（Ｐｅｒｓｏｎａｌ  Ｄｉｇｉｔａｌ  Ｃｅｌｌｕｌｅｒ）方式やｃｄｍａＯｎｅ（Ｃｏｄｅ  Ｄｉｖｉｓｉｏｎ  Ｍｕｌｔｉｐｌｅ  Ａｃｃｅｓｓ：符号分割多元接続）方式、あるいは次世代型方式（例えば、Ｗ−ＣＤＭＡ、ｃｄｍａ２０００）といった方式を採用するものの何れでも良い。また、上述の携帯端末の代わりに、ＰＨＳ（Ｐｅｒｓｏｎａｌ  Ｈａｎｄｙ−ｐｈｏｎｅ  Ｓｙｓｔｅｍ）であってもよい。尚、ＰＨＳ方式の場合は、無線通信網の内部構成が公知のＰＨＳシステムで良い。
【００２９】
図３の例では、携帯端末２０を用いてコンテンツプロバイダーが提供するコンテンツプロバイダーサーバー１０にアクセスすると表示される画面表示の一実施例を示すものである。「サイトメインメニュー」はインターネット上で公開されているコンテンツプロバイダー４０が設置したサイト、もしくはホームページである。本サービスを始めて利用するサイト訪問者は各サイト訪問者の携帯端末２０のブラウザソフトから該サイトにアクセスを行う。本サイトにアクセスしたサイト訪問者は携帯端末２０のテンキーや各種入力キー等の入力部２０２を操作し、各サイト訪問者が希望するメニューを選択する。
なお本明細書で表記される「サイト訪問者」とはコンテンツプロバイダー４０が提供する本サービスに対し会員とならずに、非会員でも提供されることのできる情報を受けるために、コンテンツプロバイダーサーバー１０にアクセスする者をさす。一方、本明細書で表記される「ユーザー」、及び又は「利用者」とはコンテンツプロバイダー４０が提供する本サービスに対し会員となり、各サービスの提供を受ける資格を有する者をさす。会員となるためには、コンテンツプロバイダー４０の定める各サービス・ソフトウェアの使用許諾に同意し、かつ、コンテンツプロバイダー４０の定める情報料の支払いに同意し、かつ支払い義務を履行しなければならない。
【００３０】
「サイトメインメニュー」のメニューにあるサンプル画面はコンテンツプロバイダー４０が提供する本サービスのサンプル画像を表示し、本サービスのイメージをサイト訪問者に提供し、サイト訪問者が本サービスの会員になることを促す。
【００３１】
「サイトメインメニュー」のメニューにあるサービスの説明は、コンテンツプロバイダー４０が提供する本サービスの説明文が表示される画面であり、「サイトメインメニュー」のメニューからサービスの説明をサイト訪問者もしくはユーザーが選択した場合は、図３の「サービス説明画面」のような画面が表示される。
【００３２】
「サイトメインメニュー」のメニューにあるダウンロードとは、本サービスを利用するために、各サイト訪問者もしくはユーザーの携帯端末２０にコンテンツプロバイダーサーバー４０よりソフトウェア１００をダウンロードする際に選択する。各サイト訪問者もしくはユーザーはこのソフトウェアをダウンロードし、コンテンツプロバイダー４０が提供する本サービスを受けることができる。
【００３３】
図４は本発明の実施の形態にかかわる、サイト訪問者もしくはユーザーがコンテンツプロバイダーサーバー４０よりソフトウェア１００をダウンロードする動作手順を示す前半部分のフローチャートである。図２９は本発明の実施の形態にかかわる、サイト訪問者もしくはユーザーがコンテンツプロバイダーサーバー４０よりソフトウェア１００をダウンロードする動作手順を示す後半部分のフローチャートである。
【００３４】
サイト訪問者もしくはユーザーがコンテンツプロバイダーサーバー１０にアクセスするように携帯端末２０に指示を出すと（ステップＳ４０１）、携帯端末２０からアクセスを受けたコンテンツプロバイダーサーバー１０は、図３のサイトメインメニューの情報を携帯端末２０に送信する（ステップＳ４０２）。なお、コンテンツプロバイダー４０は、各携帯電話会社３０毎にサイトのアドレス（か、またはＩＰアドレス）の違うサイトを用意しても良い。または各携帯電話会社３０の携帯端末２０毎に、及び又は、各携帯端末２０の機種毎にダウンロードするソフトウェア１００を別途用意することが好ましい。
【００３５】
ステップＳ４０３でサイト訪問者もしくはユーザーが「サイトメインメニュー」のメニューにあるダウンロードを選択すると、コンテンツプロバイダーサーバー１０は使用許諾情報の送信を行い（ステップＳ４０４）、携帯端末２０には、図３の「ソフト使用許諾画面」が表示される。
【００３６】
ソフト使用許諾とは、コンテンツプロバイダー４０が定める本ソフトウェア１００の使用条件であり、サイト訪問者もしくはユーザーがこの条件に全て同意しない限り、本ソフトウェア１００の使用は認められない。サイト訪問者もしくはユーザーは「ソフト使用許諾画面」にある「同意する」もしくは「同意しない」のどちらかを選択し、指示を受けた携帯端末２０はコンテンツプロバイダーサーバー１０に返答送信を行う（ステップＳ４０５）。
【００３７】
携帯端末２０から返答送信を受けたコンテンツプロバイダーサーバー１０は、該返答が「同意する」であるか、「同意しない」であるかを判別する（ステップＳ４０５）。ステップＳ４０５で「同意しない」であると判定された場合は、コンテンツプロバイダーサーバー１０はサイト訪問者もしくはユーザーの携帯端末２０に本ソフトウェア１００をダウンロードすることは不可能であるとし、その旨を該端末に送信する（ステップＳ４０６）。ステップＳ４０６で不可能通知を受信した該携帯端末２０にはダウンロード不可能を通知する画面が表示される（ステップＳ４２０）。
【００３８】
ステップＳ４０５で「同意する」であると判定された場合は、ステップＳ４０７に処理が進み、コンテンツプロバイダーサーバー１０は会員手続処理を開始する。コンテンツプロバイダーサーバー１０は会員手続き処理を開始すると、該携帯端末２０は図３の「新規・既存会員確認画面」のデータを該携帯端末２０に送信し、該携帯端末２０は「新規・既存会員確認画面」を表示する（ステップＳ４０８）。「新規・既存会員確認画面」では、各サイト訪問者が本サービスの新規会員となるのか、もしくは既に本サービスの提供を受けている既存会員なのかを区別する。既存会員は、例えば携帯端末２０を紛失したり、及び又は、機種の変更をしたりした場合に、該会員の新しい携帯端末２０にソフトウェア１００をダウンロードする場合等に選択するものである。
【００３９】
「新規・既存会員確認画面」のメニューでサイト訪問者もしくはユーザーが新規会員もしくは既存会員を選択すると携帯端末２０はコンテンツプロバイダーサーバー１０に返答送信を行う（ステップＳ４０９）。
【００４０】
携帯端末２０から返答送信を受けたコンテンツプロバイダーサーバー１０は図２９のステップＳ４１０で、返答の答えが新規会員であるのか、もしくは既存会員であるのかを判定する。返答が新規会員であると判定を受けた場合は、携帯端末２０に新規会員入力画面の情報を送信し、携帯端末２０は図３の「新規会員入力画面」を表示する（ステップＳ４１１）。
【００４１】
「新規会員入力画面」ではサイト訪問者が新規にユーザーとなるために、ユーザーデータとして登録すべき項目の入力欄が用意されている。登録すべきユーザーデータの項目としては、ユーザー名、パスワード、メールアドレス等である。ユーザー名とはサイト訪問者の正式名称ではなく、サイト訪問者が任意につけたニックネームでもかまわない。また該携帯端末２０の電話番号など別途別の項目を用意してもかまわない。
【００４２】
「新規会員入力画面」でサイト訪問者は全ての必要な入力項目にデータを入力後、「次へ」ボタンを選択すると、携帯端末２０はサイト訪問者が入力したデータをコンテンツプロバイダーサーバー１０に送信する（ステップＳ４１２）。
該携帯端末２０から入力データ送信を受けたコンテンツプロバイダーサーバー１０は、サイト訪問者の入力したデータ、もしくは該携帯端末２０によって付加されたデータを新規会員のユーザーデータとして、データベース装置１４０に内在する会員データ１４１に登録する手続きを行う（ステップＳ４１３）。なお、ステップＳ４１２で携帯端末２０が入力データ送信を行う際に、たとえ新規会員入力画面の入力項目に該サイト訪問者の携帯端末２０の電話番号入力欄がない場合は、コンテンツプロバイダーサーバー１０は該携帯端末２０からユーザーデータを受信する他に、該携帯端末２０の電話番号のデータ、及び又は、該携帯端末２０のＩＰアドレスデータを確認、及び又は、記憶することが望ましい。
【００４３】
図２５はコンテンツプロバイダーサーバー１０のデータベース装置１４０に内在する各種データの構成を示す図である。
【００４４】
データベース装置１４０には、会員データ１４１、レース情報データ１４２、ユーザー別予想データ１４３、ランキングデータ１４５、課金・報酬データ１４６、ユーザー別課金データ１４７といったデータで構成されている。各データは別のデータと関連つけられたリレーションシップを設定されていることが好ましい。ただしデータベース装置１４０に記憶されているデータの構成は、本構成に限らず、適宜別の項目を設けてもよい。
【００４５】
図１９はコンテンツプロバイダーサーバー１０のデータベース装置１４０に記憶されている会員データ１４１に関する情報の一例を示す図である。前記情報はユーザーＩＤ欄、ユーザーの所有する携帯端末２０の電話番号欄、ユーザー名欄、パスワード欄、メールアドレス欄、課金設定欄を有している構造となっている。また課金設定を行っているユーザーのデータはさらに詳細な会員データが付与されるようになり、氏名欄、シメイ欄、住所欄、生年月日欄、振込銀行名欄、振込銀行支店名欄、口座番号欄、口座名義人名欄、口座名義人（フリガナ）欄を有する構造となる。ただし会員データに関する情報は、該携帯端末２０のＩＰアドレスデータ欄等、本構成に限らず、適宜別の項目を設けてもよい。
【００４６】
なお、本明細書では、各データに記憶されている１件分のデータを「レコード」と記載する。
【００４７】
ステップＳ４１３の新規登録手続きが終了すると、コンテンツプロバイダーサーバー１０は記憶装置１５０に記憶されたソフトウェア１００を該携帯端末２０にダウンロードする手続きの実行を行う（ステップＳ４１８）。なおソフトウェア１００を携帯端末２０にダウンロードする際は、該ソフトウェア１００は圧縮されたデータとして送信されることが好ましい。
【００４８】
コンテンツプロバイダーサーバー１０でソフトダウンロード処理実行がなされると、該携帯端末２０は、ソフトウェア１００のダウンロードを行う（ステップＳ４１９）。
【００４９】
コンテンツプロバイダーサーバー１０はステップＳ４１０で、返答の答えが既存会員であると判定を受けた場合は、該携帯端末２０に既存会員であることを認証するための画面を表示するよう指示と、画面データを該携帯端末２０に送信し、該携帯端末２０は図３の「既存会員認証画面」を表示する（ステップＳ４１４）。
【００５０】
「既存会員認証画面」では既存会員が、自分が会員であることを認証するために必要な入力項目が用意されている。入力項目としては、ユーザー名、パスワード、メールアドレスである。なお、入力項目には該携帯端末２０の電話番号など別途別の項目を用意してもよい。
【００５１】
「既存会員認証画面」でユーザーは全ての必要な入力項目にデータを入力後、「次へ」ボタンを選択すると、携帯端末２０はユーザーが入力したデータをコンテンツプロバイダーサーバー１０に送信する（ステップＳ４１５）。なお、入力データ送信を行う際に、たとえ新規会員入力画面の入力項目に該サイト訪問者の携帯端末２０の電話番号入力欄がない場合でも、該携帯端末２０は送信するデータに、該携帯端末２０の電話番号のデータを付加して送信することが望ましい。
【００５２】
ステップＳ４１５で携帯端末２０から入力データ送信を受けたコンテンツプロバイダーサーバー１０は、入力されたデータから、該ユーザーの会員認証を行う（ステップＳ４１６）。会員認証は、会員データからユーザー名、パスワード、メールアドレス、携帯端末２０の電話番号で合致するデータがあるかを判定する処理を行う。
【００５３】
ステップＳ４１６の会員認証判定で合致するデータが検出され会員認証が可能であると判定された場合は、コンテンツプロバイダーサーバー１０は記憶装置１５０に記憶されたソフトウェア１００を該携帯端末２０にダウンロードする手続きの実行を行う（ステップＳ４１８）。ソフトウェア１００は携帯端末２０のデータ記憶部２６０に記憶されている。
【００５４】
一方、ステップＳ４１６の会員認証判定で合致するデータが検出されず会員認証が不可能であると判定された場合は、該携帯端末２０には会員認証が不可能であることを通知する画面を表示される（ステップＳ４１７）。
【００５５】
図２６は携帯端末２０のデータ記憶部２６０にダウンロードされたソフトウェア１００のデータ構成を示す図である。ソフトウェア１００はダウンロードソフトウェア２６１０とソフトウェア記憶部２６０から構成されている。ダウンロードソフトウェア２６１０にはプログラムデータ２６１１と各画面データ２６１２、レイアウト（スタイルシート）データ２６１３で構成されており、ダウンロードした直後に内在するデータである。
【００５６】
プログラムデータ２６１１はコンテンツプロバイダー４０が提供する本サービスを携帯端末２０で実行するための各種プログラムが内在されている。
【００５７】
各画面データ２６１２とは、本サービスを提供するにあたって表示される各画面（各種メニュー画面、登録設定画面、了承画面、既存会員認証画面等）のデータ、及び又は、画像データ等である。
【００５８】
レイアウト（スタイルシート）データ２６１３とは、ユーザーがコンテンツプロバイダーサーバー１０から受信し、ソフトウェア記憶部２６２０に記憶された各データを携帯端末２０の表示部２２０に表示するデザインや機能が設定されたデータである。レイアウト（スタイルシート）データ２６１３をソフトウェア１００がダウンロードの際に内在していることで、今後ユーザーがコンテンツプロバイダーサーバー１０からダウンロードするデータには、デザインや機能といったデータを逐一内在する必要が無く、容量の小さなデータにすることが可能となる。
【００５９】
なお、携帯電話会社毎に携帯端末２０の表示部２２０に表示できる文字数や画像データのファイル形式が異なるため、各携帯電話会社の携帯端末２０毎に、各画面データ２６１２と、レイアウト（スタイルシート）データ２６１３と、が異なるソフトウェア１００を用意することが好ましい。
【００６０】
ソフトウェア記憶部２６２０は登録設定データ２６２１と該ユーザーレース予想データ２６２３、受信レース情報データ２６２２、他者予想データ２６２４で構成されている。
【００６１】
登録設定データ２６２１とはユーザーがユーザー名やパスワード、メールアドレス等のデータをソフトウェア１００に登録設定した際に、記憶されるデータである。
【００６２】
受信レース情報データ２６２２とは、コンテンツプロバイダーサーバー１０から受信したレース情報データを記憶しているデータである。
【００６３】
該ユーザーレース予想データ２６２３とは、携帯端末２０を使用するユーザーの行ったレース予想データおよびレース予想の結果データを記憶しているデータである。
【００６４】
他者予想データとは、コンテンツプロバイダーサーバー１０より受信した他者のレース予想データを記憶しているデータである。
ソフトウェア記憶部２６２０の各種データは、ユーザソフトウェア１００をダウンロード後に記憶されていくデータである。ソフトウェア記憶部２６２０は、ソフトウェア１００ダウンロード時に、ソフトウェア記憶部２６２０用のデータ領域をあらかじめ確保しておくよう、設定されているか、又は、ソフトウェア記憶部２６２０はソフトウェア１００に内在させずに、外部データとしてソフトウェア１００がアクセス可能な携帯端末２０のデータ記憶部２６０に別途用意されるように設定されてもかまわない。
【００６５】
図５は本発明に係る一実施形態に係わる他者レース予想取得システムの携帯端末２０に表示されるソフトウェア１００のメニュー画面の一例を示す図である。ユーザーが携帯端末２０のテンキーや各種入力キー等の入力部２０２を操作し、ダウンロードした本ソフトウェア１００を起動すると、図５のソフトメインメニュー画面を表示する。
【００６６】
「ソフトメインメニュー画面」ではユーザーが各種競技を選択するメニューと、各種設定の登録をソフトウェアに行う登録設定メニューと、本サービスを解約するためのサービス解約メニューと、が用意されている。競技の種類を選択するメニューでは「競馬」、「競輪」、「競艇」の競技が用意されているが、別の競技を用意せず、１つの競技のみ、及び又は、２つ以上の競技が表示されるよう、適宜変更してもかまわない。
【００６７】
「ソフトメインメニュー画面」からユーザーが登録設定画面を選択すると、図５の「登録設定画面」が表示される。この画面にある入力欄にユーザーの会員データ（以後「ユーザーデータ」と表記）を入力しておくことで、本サービスを利用する際に、表示される「既存会員認証画面」に逐一ユーザーがユーザーデータの入力を行う作業の手間を省くことができる。
入力欄に入れるデータとしては、ユーザー名、パスワード、メールアドレス等がある。また該携帯端末２０の電話番号を入力する欄等、本実施例記載以外のデータを入力する欄を設けてもよい。
【００６８】
「ソフトメインメニュー画面」からユーザーがサービス解約を選択すると、図５の「サービス解約画面」が表示される。ここでユーザーが「解約する」を選択すると、該携帯端末２０はコンテンツプロバイダーサーバー１０に、該ユーザーがサービス解約の手続きを行ったことを送信する。サービス解約の通知を受けたコンテンツプロバイダーサーバー１０は該ユーザーのサービス解約手続きを行う。サービス解約を行った利用者は以後、本サービスを受けられなくなる。
【００６９】
「ソフトメインメニュー画面」からユーザーが競技の選択を行うと、競技別メニュー画面が表示される。競技の種類としては、競馬、競輪、競艇等や、野球、サッカー等の各種スポーツなど、実施例以外の競技があってもよい。
【００７０】
ユーザーが携帯端末２０のテンキーや各種入力キー等の入力部２０２を操作し、ダウンロードした本ソフトウェア１００を起動すると、図５のソフトメインメニュー画面を表示する。
【００７１】
図５にある「ソフトメインメニュー画面」からユーザーが競技の種類で「競馬」を選択すると、図５にある「競技別メニュー画面」が表示される。競技別メニューには「今後の情報を取得」、「レースの予想をする」、「予想結果を見る」、「他者の予想を見る」といったメニューが用意されている。
【００７２】
「今後の情報を取得」を選択すると、今後開催される競技のレース情報をコンテンツプロバイダーサーバー１０から取得する処理がなされる。
図６は本発明の実施の形態にかかわる、携帯端末２０が今後開催される競技のレース情報をコンテンツプロバイダーサーバー１０から取得する動作手順を示すフローチャートである。
【００７３】
ステップＳ６０１で図５に示すような「競技別メニュー画面」が表示され、「競技別メニュー画面」にある「今後の情報を取得」を選択すると（ステップＳ６０２）、ソフトウェア１００はステップＳ６０３で該ユーザーが登録設定を行っているかの判定を行う。登録設定が行われていれば、ステップＳ６０６に進み、登録設定で入力されているユーザーデータを送信すると共に今後のレース情報の送信要求をコンテンツプロバイダーサーバー１０に行うというサーバーへタスク要求を行う（ステップＳ６０６）。
【００７４】
なお、各携帯端末２０がコンテンツプロバイダーサーバー１０に行うタスク要求とは、携帯端末２０からコンテンツプロバイダーサーバー１０に行うものであり、ユーザーが希望するデータをコンテンツプロバイダー４０が所持する各データから検索し携帯端末２０に送信するタスク（処理）や、ユーザーが携帯端末２０から送信してきたデータをコンテンツプロバイダー４０が所持するデータに更新、および又は、追加するタスク（処理）を行うよう要求することである。
今回のタスク内容は今後のレース情報で、なおかつ該携帯端末２０が今まで受信していない今後のレース情報を受信するために、ソフトウェア１００は携帯端末２０のデータ記憶部２６０に記憶されている受信レース情報のデータ２６２２のレースＩＤを付加してステップＳ６０６のコンテンツプロバイダーサーバー１０へ今後のレース情報の送信要求を行うタスク要求を行う。
ステップＳ６０３で登録設定が行われていないと判定された場合、ソフトウェア１００は図５にある「既存会員認証画面」を表示し、必要事項の入力を該ユーザーに促す（ステップＳ６０４）。
【００７５】
本明細書では図３の既存会員認証画面と図５に示す既存会員認証画面が存在する。どちらも表示される項目・内容は同じであるが、図３の既存会員認証画面はコンテンツプロバイダー４０よりテキストデータと、レイアウトデータと、機能データと、が携帯端末２０に送信され、携帯端末２０の表示部２２０に表示される既存会員認証画面であり、図５の既存会員認証画面では携帯端末２０のデータ記憶部２６０の各画面データ２６１２に記憶されたデータよって携帯端末２０の表示部２２０に表示される既存会員認証画面である。
【００７６】
該ユーザーは必要事項の入力を行い（ステップＳ６０５）、「既存会員認証画面」の下部にある「次へ」ボタンを押すと、ソフトウェア１００は該ユーザーが入力したユーザーデータを送信すると共に今後のレース情報の送信をコンテンツプロバイダーサーバー１０に行うという前記サーバーへタスク要求を行う（ステップＳ６０６）。
【００７７】
コンテンツプロバイダーサーバー１０は携帯端末２０よりタスク要求およびユーザーデータを受信すると（ステップＳ６０７）、ステップＳ６０８で携帯端末２０より送られたユーザーデータがコンテンツプロバイダーサーバー１０のデータベース装置１４０にある会員データ１４１の中に正しく合致するものがあるかを判定する。携帯端末２０より送られたユーザーデータが会員データ１４１の中に正しく合致するものがない場合、会員認証は不可であると判定され（ステップＳ６０８）、携帯端末２０の端末に会員認証ができない旨を表示するよう指示を出し、該携帯端末２０には会員認証不可を該ユーザーに通知する画面を表示する（ステップＳ６０９）。
【００７８】
一方、ステップＳ６０８で携帯端末２０より送られたユーザーデータがコンテンツプロバイダーサーバー１０のデータベース装置１４０にある会員データ１４１の中に正しく合致するものがあると判定された場合、コンテンツプロバイダーサーバー１０の処理はステップＳ６１０の的確データ検索処理に進む。的確データ検索処理とは、携帯端末２０より送られたタスク内容に基づいて、該携帯端末２０に送信するデータを、コンテンツプロバイダーサーバー１０のデータベース装置１４０に内在するデータより検索する作業である。
今回携帯端末２０より要求を受けたタスクは今後のレース情報で、かつ該携帯端末２０が今まで受信していない情報を、コンテンツプロバイダーサーバー１０のデータベース装置１４０に内在するレース情報データから検索し、該携帯端末２０に送信するというものである。
【００７９】
図２０はコンテンツプロバイダーサーバー１０のデータベース装置１４０に記憶されているレース情報データ１４２に関する情報の一例を示す図である。前記情報はレースＩＤ欄、レース日欄、レース会場欄、主なレース名欄、各レース情報欄、予想受付期日欄、レース着順結果欄を有する構造となる。ただしレース情報データに関する情報は、本構成に限らず、適宜別の項目を設けてもよい。また各レース情報欄としては本実施例のようにレースが競馬であれば、第１レースから各レースまでにおける馬名、騎手名などのデータが含まれることが好ましい。
【００８０】
上記レース情報データのレースＩＤとは、コンテンツプロバイダーサーバー１０が各レース毎にオリジナルのデータを１つ与えるものであり、このＩＤで各レースの識別を行う。レース日とは実際のレースが行われる日程のデータである。レース日のデータには開催されるレースの年や開催時刻のデータを付加しても良い。予想受付期日とは、各ユーザーからレース結果の予想を受け付ける期日のことであり、レース期日に入力される日時よりも早い時刻が入力される特徴がある。なお、予想受付期日のデータには受付期日の年や最終受付時刻のデータを付加しても良い。レース着順結果とは、実際のレースの終了後に、該レースの結果がデータとして、コンテンツプロバイダー４０より送信、及び又は、入力される。
【００８１】
コンテンツプロバイダーサーバー１０はレース情報データ１４２の予想期日欄を検索し、まだ予想期日となっていないデータを検索する。また携帯端末２０は既に該携帯端末２０が受信したレース情報のレースＩＤをステップＳ６０６のサーバータスク要求で送信してくるので、該携帯端末２０より送られてきたレースＩＤのデータと同じレースＩＤを持つデータは、的確データ検索から除外される。
以上の的確データ検索を行った後、コンテンツプロバイダーサーバー１０は該携帯端末２０に送信すべきレース情報データを決定する作業を行う（ステップＳ６１１）。
【００８２】
コンテンツプロバイダーサーバー１０はステップＳ６１１で的確データが決定すると、該携帯端末２０にステップＳ６１１で確定されたデータを送信する作業を行う（ステップＳ６１２）。このとき送られるデータは、携帯端末２０に表示されるレイアウトデータのないテキストデータのみであることが望ましい。
携帯端末２０はステップＳ６１３でコンテンツプロバイダーサーバー１０からレース情報データを受信し、受信したデータを受信レース情報データ２６２２に追加更新する作業を行い、Ｓ６１４に進みレース情報データの取得完了を通知する画面を表示する。
【００８３】
コンテンツプロバイダーサーバー１０より受信するデータは、携帯端末２０の表示部２２０で表示する場合のレイアウトデータは含まれていない。コンテンツプロバイダーサーバー１０より受信したデータを携帯端末２０の表示部２２０で表示する場合は、携帯端末２０のデータ記憶部２６０に記憶されているレイアウト（スタイルシート）データ２６１３を使用する。
携帯端末２０のデータ記憶部２６０に記憶されているレイアウトデータもしくはスタイルシートデータは、表示する情報の種類毎に用意されていることが好ましい。
【００８４】
以上の処理を行うことで、本システム上のサービスを受けるユーザーは今後のレース情報データ取得を実行する際に、携帯端末２０とコンテンツプロバイダーサーバー１０との間で交わす情報量を必要最小限にすることができ、携帯電話会社３０に対する料金の支払額を軽減させることができる。
ユーザーが携帯端末２０のテンキーや各種入力キー等の入力部２０２を操作し、ダウンロードした本ソフトウェア１００を起動すると、図５のソフトメインメニュー画面を表示し、ソフトメインメニューの競技の種類から任意の競技を選択すると、競技別メニュー画面が表示される。
【００８５】
図５の「競技別メニュー画面」にある「レースの予想をする」を選択すると、今後開催されるレースの結果予想を行う処理がなされる。図７はレースの予想がなされる画面表示の一実施例を示すものである。
【００８６】
図８は本発明の実施の形態にかかわる、今後開催されるレースの結果予想を行う動作手順を示す前半部分のフローチャートである。図３０は本発明の実施の形態にかかわる、今後開催されるレースの結果予想を行う動作手順を示す後半部分のフローチャートである。
【００８７】
ステップＳ８０１で図５に示すような「競技別メニュー画面」が表示され、「競技別メニュー画面」にある「レースの予想をする」を選択すると（ステップＳ８０２）、図７の「予想レース選択画面」を表示する（ステップＳ８０３）。「予想レース選択画面」ではステップＳ６０１からステップＳ６１４で取得した今後のレース情報データが表示される。コンテンツプロバイダーサーバー１０から送信された今後のレース情報データはテキストデータとして携帯端末２０のデータ記憶部２６０の受信レース情報データ２６２２に記憶されている。ソフトウェア１００は記憶部２６０から今後のレース情報データを表示するために、記憶部２６０のレイアウト（スタイルシート）データ２６１３に記憶されているデータでレース情報データを表示させるためのデータを取り出し、今後のレース情報データを該レイアウト（スタイルシート）データと組み合わせて、表示部２２０に表示する。
【００８８】
図７の「予想レース選択画面」に表示された今後開催されるレース一覧の中から、ユーザーは自分が予想を行いたいレースを選択すると、図７の「レース予想入力画面」が表示させるので、ユーザーはレース結果の予想の入力を行う（ステップ８０５）。
【００８９】
実施例のレース予想入力画面では、表示される内容が、レースが行われる日付、開催場所、第ｎレースに参加する全競走馬名（ｎは正の整数）、各レースのコメント欄、予想公開の設定欄で構成されている。ただし、本構成に限らず、適宜別の項目を設けてもよい。
【００９０】
本実施例では、各レースで上位３位以内となる競走馬を選択するようになっている。本実施例の場合、選択した３頭の競走馬のいずれかが３位以内となれば、各得点が与えられる。選択した３頭の競走馬で１位となった競走馬があれば７点、２位であれば５点、３位であれば３点が与えられ、４位以下となれば一律マイナス２点が与えられる。ユーザーは各レースで最大３頭の競走馬を選択することが出来るが、必ずしも３頭を選択しなければならないというわけではなく、１頭もしくは２頭だけを選択しても良い。また第１レースでは１頭も選択せずに、第２レースから競走馬の選択してもかまわない。
また予想を行う競技が、野球やサッカーなどように２つのチーム（かあるいは、個人）が対戦する競技の結果を予想する場合は、どちらが「勝つ」か、または、「負ける」か、あるいは「引き分け」か、を選択できることが好ましい。
選択の方法は、競走馬名の左に用意されたチェックボックスにチェックを入れることで可能となる。
【００９１】
各レースで競走馬を選択した後、各レースのコメント欄にユーザーの考えをコメントとして入力する。コメント欄に入力されたデータはユーザーのレース予想を公開する際に、該レース予想を受信した他の受信者によって参照される。ユーザーはコメントの入力は行っても良いし、行わなくてもかまわない。
【００９２】
各レースの予想およびコメントを入力した後、該予想の公開設定を行う（ステップＳ８０６）。ユーザーのレース予想データは携帯端末２０からコンテンツプロバイダーサーバー１０に送られ、該レース予想データがその予想を行ったユーザーによって公開を認める設定をされていれば、他のユーザーが希望すれば該予想データを希望したユーザーの携帯端末２０にコンテンツプロバイダーサーバー１０が送信する処理がなされる。
【００９３】
本実施例の予想データの公開設定は「無料で公開する」と「有料で公開する」と「公開しない」で構成されているが、有料で予想を公開する場合に該予想を公開するユーザーが任意に該予想の料金を設定することができる等、本構成に限らず適宜別の項目を設けてもよい。
【００９４】
ユーザーが「無料で公開する」を選択すると、該レース予想データは他のユーザーに無料で公開されることになる。「有料で公開する」を選択すると、他のユーザーは該レース予想データを受信する際に、規定の料金を支払わなければならない。有料のレース予想データを受信したユーザーから支払われた料金は、一定の手数料を引かれた後、該レース予想データを発信したユーザーに支払われることになる。「公開しない」を選択するとコンテンツプロバイダーサーバー１０が該レース予想データを他のユーザーに公開しないように設定することが出来る。各レース予想およびコメントの入力を終えた後、ユーザーが「送信する」ボタンを押すと、携帯端末２０のソフトウェア１００はステップＳ８０７で該ユーザーが登録設定を行っているかの判定を行う。登録設定が行われていれば、ステップＳ８１０に進み、登録設定で入力されているユーザーデータを送信すると共に該ユーザーの行ったレース予想データをデータベース装置１４０にあるユーザー別予想データ１４３に追加する要求をコンテンツプロバイダーサーバー１０に行うという前記サーバーへタスク要求を行う（ステップＳ８１０）。
【００９５】
ステップＳ８０７で登録設定が行われていないと判定された場合、ソフトウェア１００は図５にある「既存会員認証画面」を表示し、必要事項の入力を該ユーザーに促す（ステップＳ８０８）。該ユーザーは必要事項の入力を行い（ステップＳ８０９）、「既存会員認証画面」の下部にある「次へ」ボタンを押すと、ソフトウェア１００は該ユーザーが入力したユーザーデータを送信すると共に該ユーザーの行ったレース予想データをユーザー別予想データ１４３に追加する要求をコンテンツプロバイダーサーバー１０に行うというサーバーへタスク要求を行う（ステップＳ８１０）。
【００９６】
コンテンツプロバイダーサーバー１０は携帯端末２０よりタスク要求およびユーザーデータを受信すると（ステップＳ８１１）、ステップＳ８１２で携帯端末２０より送られたユーザーデータがコンテンツプロバイダーサーバー１０のデータベース装置１４０にある会員データ１４１の中に正しく合致するものがあるかを判定する。携帯端末２０より送られたユーザーデータが会員データ１４１の中に正しく合致するものがない場合、会員認証は不可であると判定され、携帯端末２０の端末に会員認証ができない旨を表示するよう指示を出し、該携帯端末２０には会員認証不可を該ユーザーに通知する画面を表示する（ステップＳ８１３）。
【００９７】
一方、ステップＳ８１２で携帯端末２０より送られたユーザーデータがコンテンツプロバイダーサーバー１０のデータベース装置１４０にある会員データ１４１の中に正しく合致するものがあると判定された場合、コンテンツプロバイダーサーバー１０の処理は図３０のステップＳ８１４に進む。
【００９８】
ステップＳ８１４ではユーザーが送信してきたレース予想データが予想期日以内になされているかを判定する。図２０に示すように、各レースには各レースが実際に行われる期日よりも早い日時に設定された予想期日が設定されている。各ユーザーは前記予想期日よりも早い期日にレース予想をコンテンツプロバイダーサーバー１０に送信しなければならない。コンテンツプロバイダーサーバー１０は予想期日を過ぎたレース予想データは受信しないように設定されている。このことによって、実際のレースの結果が出た後に、該レースの予想データをユーザーが送信しても、コンテンツプロバイダーサーバー１０は受信を行わないので、適正な競技結果予想システムを提供することができる。
【００９９】
コンテンツプロバイダーサーバー１０はレース情報データ１４２から該ユーザーの予想してきたレースＩＤと予想期日のデータを参照して、予想期日以内であるかを判定する。
ステップＳ８１４で予想期日以内ではないと判定された場合は、該携帯端末２０には該レース予想データを受信することを拒否する旨の通知を行う（ステップＳ８１６）。
【０１００】
一方ステップＳ８１４で予想期日以内であると判定された場合は、ステップＳ８１５に進み、該レースにおいて、ユーザーが同じレースを２度以上予想していないかの判定をおこなう。
【０１０１】
図２１はコンテンツプロバイダーサーバー１０のデータベース装置１４０に記憶されているユーザー別予想データ１４３に関する情報の一例を示す図である。前記情報はレースＩＤ欄、レース日、予想ＩＤ欄、予想日欄、公開設定欄、各レース予想・得点・コメント欄、獲得Ｐ欄、合計Ｐ欄を有する構造となる。ただしユーザー別予想データ１４３に関する情報は、本構成に限らず、適宜別の項目を設けてもよい。
【０１０２】
上記ユーザー別予想データ１４３のレースＩＤとは、コンテンツプロバイダーサーバー１０が各レース毎にオリジナルのデータを１つ与えるものであり、このＩＤで各データからレースの識別を行う。レース日とは該レースＩＤのレースが実際に開催される日付データが入力される。予想ＩＤの説明は後述する。予想日とはユーザーが該レース予想データをコンテンツプロバイダーサーバー１０に送信し、コンテンツプロバイダーサーバー１０がユーザー別予想データ１４３に登録した日のデータが入力される。なお、本実施例では予想日は日程のみを表示しているが、コンテンツプロバイダーサーバー１０がユーザー別予想データ１４３に登録した日時までを入力する手法を用いても良い。
【０１０３】
公開設定はユーザーが、該レース予想データを無料で公開していれば「Ｆ」、有料で公開していれば「Ｃ」、公開しないを設定していれば「Ｎ」が入力される。
【０１０４】
各レース予想・得点・コメント欄の予想欄には各レースでユーザーが予想した競走馬の番号データが入力されている。得点欄にはレース終了後に入力されるデータで、ユーザーが予想した競走馬に対して与えられた得点が入力されている。本実施例では選択した競走馬が１位となれば７点、２位であれば５点、３位であれば３点が与えられ、４位以下となれば一律マイナス２点が与えられる。コメント欄にはユーザーが入力していれば、そのコメントが入力される。
獲得Ｐとは一つの予想ＩＤが付与されたレース予想データにおいて第Ｎレースまでの各レースで獲得した得点が入力される。
【０１０５】
合計Ｐとは該ユーザーが今までに予想したレースで獲得した得点の累計得点が計算されて入力されている。本実施例では累計得点のみが計算されて入力されているが、月毎の累計得点の欄を設けても良い。
【０１０６】
コンテンツプロバイダーサーバー１０はデータベース装置１４０にユーザー毎に図２１に示すようなユーザー別予想データを保管および管理している。ユーザーの携帯端末２０からレース予想データが送信され、該ユーザーのユーザー別予想データ１４３に追加するようタスク要求が来た際に、今回外ユーザーが予想したレースのレースＩＤが図２１のデータベースのレースＩＤに同じ値のものがないかを判定する。
【０１０７】
ステップＳ８１５の判定の結果、今回のレース予想データは２回目であると判定された場合は、該携帯端末２０には該レース予想データを受信することを拒否する旨の通知を行う（ステップＳ８１６）。なお、本実施例ではレースの予想は１つのレースにつき１回しかできないように設定しているが、２回目の予想がなされた場合は、１回目のレース予想データと取り替える処理がなされる手法を用いても良い。
【０１０８】
ステップＳ８１５で２回予想していないと判定された場合は、ステップＳ８１７に進み、ユーザーが該レース予想データを有料公開設定としているか判定する。有料公開をしていないと判定された場合は、ステップＳ８２５に進み、該レース予想データをユーザー別予想データ１４３に追加する作業を行う（ステップＳ８２５）。
【０１０９】
ステップＳ８１７で有料公開をしていると判定された場合は、Ｓ８１８に進み該ユーザーが課金設定を行っているかを判定する。コンテンツプロバイダーサーバー１０は会員データ１４１の課金設定欄の検索を行い、該ユーザーが課金設定を行っているかを判定する。課金設定をおこなっていれば各ユーザーのデータの課金設定欄では「○」が入力され、課金設定がされていなければ「−」が入力されている。
【０１１０】
ステップＳ８１８で該ユーザーが課金設定をしていると判定されれば、ステップＳ８２５に進み、該レース予想データをユーザー別予想データ１４３に追加する作業を行う。なお、ステップＳ８２５においてデータが追加を行う際に、コンテンツプロバイダーサーバー１０は該データにオリジナルの予想ＩＤを付与する。
【０１１１】
図１５は本発明に係る一実施形態に係わる他者レース予想取得システムの携帯端末２０に表示されるソフトウェア１００の課金メニュー画面の一例を示す図である。
【０１１２】
ステップＳ８１８で該ユーザーが課金設定をしてないと判定されれば、コンテンツプロバイダーサーバー１０は該ユーザーの課金設定を行う処理を行うために、該携帯端末２０に図１５にある詳細入力画面を表示するよう指示を出し、ソフトウェア１００は各画面データ２６１２から「詳細入力画面」のデータを取り出し表示する（ステップＳ８１９）。
【０１１３】
課金設定を行う「詳細入力画面」では、ユーザーが自分のレース予想データを有料で公開し、他のユーザーが該有料予想データを受信した場合、規定の料金を報酬として、受け取るための設定を行う。
【０１１４】
図１５の詳細入力画面では、氏名欄、シメイ欄、住所欄、生年月日欄、銀行名入力欄、銀行支店名入力欄、口座番号欄、口座名義人名欄、口座名義人（フリガナ）欄を有する構造となる。ただし詳細入力画面に関する入力欄は、本構成に限らず、適宜別の項目を設けてもよい。
【０１１５】
ユーザーは各情報を入力し（ステップＳ８２０）、詳細入力画面の下部にある「送信」ボタンを押すと、携帯端末２０のソフトウェア１００はコンテンツプロバイダーサーバー１０にユーザーがステップＳ８２０で入力したデータを送信する（ステップＳ８２１）。
【０１１６】
コンテンツプロバイダーサーバー１０はステップＳ８２２で受信したデータに不備がないかを判断し、不備がないと判断されれば、ステップＳ８２３に進み、会員データ１４１の追加作業を行う。ここでは、会員データ１４１に該ユーザーがステップＳ８２０で入力した課金設定のデータを追加し、課金設定欄のデータを「−」から「○」に変更する。
【０１１７】
ステップＳ８２３の処理の後、ステップＳ８２５に進み、該レース予想データをユーザー別予想データ１４３に追加する作業を行う。
ステップＳ８２２で受信したデータに不備があると判定された場合は、コンテンツプロバイダーサーバー１０は該携帯端末２０に再入力依頼画面を表示するよう指示し、再入力依頼を受信した携帯端末２０は（ステップＳ８２４）、ステップＳ８１９に戻り、再度詳細入力画面を表示する。
ステップＳ８２５で該レース予想データをユーザー別予想データ１４３に追加する作業を行う。なお、ステップＳ８２５においてデータが追加を行う際に、コンテンツプロバイダーサーバー１０は該データにオリジナルの予想ＩＤを付与する。
【０１１８】
ステップＳ８２５の後、コンテンツプロバイダーサーバー１０は、携帯端末２０にレース予想データの受付完了を通知すると共に、該レース予想データに付与された予想ＩＤのデータを送信し、送信を受けた該携帯端末２０は、該予想に与えられた予想ＩＤをステップＳ８０５、及び又はＳ８０６で入力されたレース予想データに付与し新規レコードとして、該ユーザーレース予想データ２６２３に追加を行い、表示部２２０に予想受付完了画面を表示する（ステップＳ８２６）。
【０１１９】
ユーザーが有料で予想を公開する場合に該予想を公開するユーザーが任意に該予想の料金を設定することができる場合には、レース予想入力画面で該予想データを公開する金額を入力する入力欄を設け、Ｓ８０６でユーザーが金額を入力する。入力された金額データはＳ８１０で他のデータとともにコンテンツプロバイダーサーバー１０に送信される。コンテンツプロバイダーサーバー１０に記憶されているユーザー別予想データ１４３および全ユーザー予想データ１４８には有料金額欄が追加され、ユーザーにより各予想データの公開金額として入力された金額が入力される。
【０１２０】
ユーザーが携帯端末２０のテンキーや各種入力キー等の入力部２０２を操作し、ダウンロードした本ソフトウェア１００を起動すると、図５のソフトメインメニュー画面を表示し、ソフトメインメニューの競技の種類から任意の競技を選択すると、競技別メニュー画面が表示される。
図５の「競技別メニュー画面」にある「予想結果を見る」を選択すると、該ユーザーが行ったレース予想の結果がコンテンツプロバイダーサーバー１０より送信される処理がなされる。図９は該ユーザーのレース予想の結果が判定される画面表示の一実施例を示すものである。
【０１２１】
図１０は本発明の実施の形態にかかわる、該ユーザーのレース予想の結果判定を行う動作手順を示す前半部分のフローチャートである。図３１は本発明の実施の形態にかかわる、該ユーザーのレース予想の結果判定を行う動作手順を示す後半部分のフローチャートである。
【０１２２】
ステップＳ１００１で図５に示すような「競技別メニュー画面」が表示され、「競技別メニュー画面」にある「予想結果を見る」を選択すると「予想結果メニュー」を表示する（ステップＳ１００２）。「予想結果メニュー」前回取得した予想結果の日付と、前回の予想結果取得日における累計得点とランキングが表示されている。図９では、予想結果メニュー（１）は最終結果取得日が１１月２３日で、１２月１４日にユーザーが予想結果を取得する前に表示される画面を表している。一方図９の予想結果メニュー（２）は、１２月１４日に予想結果を取得した後に、予想結果画面に表示される画面を表している。
【０１２３】
予想結果メニューには、「予想結果を取得する」というメニューと、「過去の予想結果を見る」というメニューで構成されている。ただし本構成に限らず、適宜別の項目を設けてもよい。
【０１２４】
予想結果メニュー（１）で、「予想結果を取得する」をユーザーが選択すると（ステップＳ１００３）、携帯端末２０のソフトウェア１００はステップＳ１００４で該ユーザーが登録設定を行っているかの判定を行う。登録設定が行われていれば、ステップＳ１００７に進み、登録設定で入力されているユーザーデータを送信すると共に、コンテンツプロバイダーサーバー１０に該ユーザーの行ったレース予想データの結果データを要求するタスク要求を行う（ステップＳ１００７）。
【０１２５】
ステップＳ１００４で登録設定が行われていないと判定された場合、ソフトウェア１００は図５にある「既存会員認証画面」を表示し、必要事項の入力を該ユーザーに促す（ステップＳ１００５）。該ユーザーは必要事項の入力を行い（ステップＳ１００６）、「既存会員認証画面」の下部にある「次へ」ボタンを押すと、ソフトウェア１００は該ユーザーが入力したユーザーデータを送信すると共に、コンテンツプロバイダーサーバー１０に該ユーザーの行ったレース予想データの結果データを要求するタスク要求を行う（ステップＳ１００７）。
【０１２６】
今回のタスク内容はレース予想結果のデータで、なおかつ該携帯端末２０が今まで受信していないレース予想結果のデータを受信するために、携帯端末２０は携帯端末２０のデータ記憶部２６０に記憶されている該ユーザーレース予想データ２６２３でレース結果を取得していないレースＩＤ、及び又は、予想ＩＤのデータを付加してステップＳ６０６のコンテンツプロバイダーサーバー１０へまだ取得していないレース予想結果の送信要求を行うタスク要求を行う。
【０１２７】
コンテンツプロバイダーサーバー１０は携帯端末２０よりタスク要求およびユーザーデータを受信すると（ステップＳ１００８）、ステップＳ１００９で携帯端末２０より送られたユーザーデータがコンテンツプロバイダーサーバー１０のデータベース装置１４０にある会員データ１４１の中に正しく合致するものがあるかを判定する。携帯端末２０より送られたユーザーデータが会員データ１４１の中に正しく合致するものがない場合、会員認証は不可であると判定され、携帯端末２０の端末に会員認証ができない旨を表示するよう指示を出し、該携帯端末２０には会員認証不可を該ユーザーに通知する画面を表示する（ステップＳ１０１０）。
【０１２８】
一方、ステップＳ１００９で携帯端末２０より送られたユーザーデータがコンテンツプロバイダーサーバー１０のデータベース装置１４０にある会員データ１４１の中に正しく合致するものがあると判定された場合、コンテンツプロバイダーサーバー１０の処理はステップＳ１０１１の的確データ検索処理に進む。的確データ検索処理とは、携帯端末２０より送られたタスク内容に基づいて、該携帯端末２０に送信するデータを検索する作業である。
【０１２９】
今回携帯端末２０より要求を受けたタスクは該ユーザーのレース予想の結果で、かつ該携帯端末２０が今まで受信していないレース予想の結果データを、コンテンツプロバイダーサーバー１０のデータベース装置１４０に内在するレース情報データ１４２と、ユーザー別予想データ１４３から検索し送信することと、該ユーザーのランキングをランキングデータ１４５より検索し送信することである。
【０１３０】
図２３はコンテンツプロバイダーサーバー１０のデータベース装置１４０に記憶されているランキングデータ１４５に関する情報の一例を示す図である。前記情報はランキング欄、ユーザーＩＤ欄、ユーザー名欄、累計ポイント欄、カップ数欄を有する構造となる。ただしランキングデータ１４５に関する情報は、本構成に限らず、適宜別の項目を設けてもよい。
コンテンツプロバイダーサーバー１０は該携帯端末より送られた該携帯端末がまだレース予想の結果を取得していないレースＩＤ、及び又は予想ＩＤのデータから、
図２０のレース情報データ１４２では、該携帯端末に送信すべきデータは、該レースＩＤ（２００２１１２４０１）の同一レコード内にある「レース着順結果」に入力されているデータと、
図２１のユーザー別予想データ１４３では、該携帯端末に送信すべきレース予想結果のデータは、該予想ＩＤ（００４０２１１２４０１）の同一レコード内にある「得点」および「カップ獲得」に入力されているデータと、
一方で、ユーザーデータから
図２３のランキングデータ１４５では、該ユーザーのユーザーＩＤ（００００４）の同一レコード内にある「累計得点」と「カップ数」と「ランキング」に入力されているデータと、
を、該携帯端末２０に送信するデータであると判定する（ステップＳ１０１２）。
コンテンツプロバイダーサーバー１０は図３１のステップＳ１０１２で該当データが決定すると、該携帯端末２０にステップＳ１０１２で判定されたデータを送信する作業を行う（ステップＳ１０１３）。このとき送られるデータは、携帯端末２０に表示されるレイアウトデータのないテキストデータのみであることが望ましい。
携帯端末２０のソフトウェア１００はステップＳ１０１４でコンテンツプロバイダーサーバー１０からデータを受信すると、Ｓ１０１５に進み、受信レース情報データ２６２２、該ユーザーレース予想データ２６２３、該ユーザーランキングデータ２６２５の更新、及び又は、追加作業を行う。
携帯端末２０はステップＳ１０１５でデータ更新作業を行った後、携帯端末２０は受信した予想結果を見るかを選択する画面を表示し、ユーザーは受信した予想結果を見るかを選択する（ステップＳ１０１６）。
【０１３１】
ステップＳ１０１６でユーザーが予想結果を見ると選択した場合は、処理はステップＳ１０１７に進み、図９の予想結果画面を表示する。
【０１３２】
予想結果画面では、レース開催日、レース開催場所、各レースの上位３着までの馬番と馬名、ユーザーの予想した馬番と該馬番の着順位、獲得ポイントが表示される。また各レースの詳細な結果をユーザーが希望する場合は、「レース結果の詳細」を選択すると受信レース情報データ２６２２に記憶された該レースの全ての着番結果等が参照することが出来る。
【０１３３】
ステップＳ１０１６でユーザーが予想結果を見ないと選択した場合は、処理はステップＳ１０１８に進み、予想結果メニューが表示される（Ｓ１０１８）。
【０１３４】
本実施例では、Ｓ１０１８の処理で表示される画面は図９の予想結果メニューの（２）が表示される。図１０の一連のステップを終えた後、予想結果メニュー（２）では、最終結果取得日が１２月１４日、累計ポイントが１５３点、ランキングが８７位に更新されている。
【０１３５】
予想結果メニュー（１）で「過去の予想結果を見る」を選択すると、図９の過去の予想結果画面（１）が表示される。
【０１３６】
過去の予想結果画面では予想を行ったレースが開催された日付と主なレース名、該日付に行われたレースの予想によって獲得した得点が表示される。また該レース予想でカップを獲得した場合は、該レースの得点の横にカップの画像が表示される。なお、カップ画像データは、各画面データ２６１２に記憶されている。
【０１３７】
なお、カップ画像データは、ソフトウェア１００のダウンロード時に各画面データ２６に記憶されたデータを使用せずに、新規画像データとして表示する手法を用いても良い。前記新規画像データを表示させるためには、コンテンツプロバイダーサーバー１０より該携帯端末２０にステップＳ１０１３より画像データが添付されて送信され、携帯端末２０に送信された該画像データはソフトウェア１００のソフトウェア記憶部２６２０に別途記憶されることが好ましい。
【０１３８】
「次へ」を選択すると、画面に表示されていなかった過去のレースの日付と主なレース名、該日付に行われたレースの予想によって獲得した得点が表示されるようになる。
【０１３９】
各日付を選択すると、ソフトウェア１００は該ユーザーレース予想データ２６２３に記憶したデータを参照し、該日付に行われたレースの結果と、該ユーザーが行った予想と、該予想に与えられた得点が表示される予想結果画面が表示される。
【０１４０】
過去の予想結果画面に予想に与えられた得点が表示されずに「未」と表示され、日付に下線が無くユーザーが選択できないようになっている。これは、該レースの予想結果のデータを携帯端末２０がまだ取得していないことを表している。ユーザーは予想結果メニューに戻り、「予想結果を取得する」を選択し、コンテンツプロバイダーサーバー１０よりデータを取得する図１０の一連の処理を行わなければならない。本実施例、図９の過去の予想結果画面（１）では「１１／２４」の日付のレース結果の得点が「未」と表示され、下線部が無く、選択できないようになっている。過去の予想結果画面（１）を選択する前に表示される予想結果メニュー（１）で最終結果取得日が１１月２３日となっているため、１１月２４日に行われるレースの予想結果は当然取得していないことになる。仮に１２月１４日に予想結果を取得する図１０の一連の処理を行ったとすると、図９の予想結果メニュー（２）が表示され、該予想結果メニューから「過去の予想結果を見る」を選択すると、図９の「過去の予想結果画面（２）」を表示するようになり、１１／２４の日付のレース結果における予想結果の得点が表示され下線部も表示されるため該日付のレースを選択し予想の結果を見ることができるようになる。
【０１４１】
一方で過去の予想結果画面（２）では、「１２／１５」の日付のレースで、得点が「未」と表示され、下線部が無く、ユーザーが現時点（現在を１２月１４日と仮定する）で選択できない項目が新たに加わるようになっている。
【０１４２】
図５の「競技別メニュー画面」にある「他者の予想を見る」を選択すると、他のユーザーが行った今後開催されるレースの結果予想をユーザーが該ユーザーの携帯端末２０に受信する処理がなされる。本発明では他のユーザーのレース予想データを取得する場合、無料で取得できる場合と、有料で課金される場合がある。
【０１４３】
図１１は、本発明の他のユーザーのレース予想データを取得するシステムの構成を示す図である。本発明のシステムは、図１のシステム図に記載された携帯電話会社３０、携帯電話会社３０と契約している利用者が使用する携帯端末２０、携帯電話会社３０と契約をしたコンテンツプロバイダー４０、コンテンツプロバイダーにより運営されるコンテンツプロバイダーサーバー１０、コンテンツプロバイダーサーバー１０より携帯端末２０にダウンロードされたソフトウェア１００、電子メール配信先端末８１、競技の予想を有料公開したユーザーが受信する報酬額の振込先となる銀行９０と、該銀行９０にある競技の予想を有料公開したユーザーの銀行口座５１が加えられて構成されている。
【０１４４】
また本システムを利用するユーザーは自分の競技結果予想を有料にて公開するユーザー（図１ではユーザーＡ５０に該当）と自分の競技結果予想を無料にて公開するユーザー（図１ではユーザーＢ６０に該当）と、無料で公開された予想データの取得を希望するユーザー（図１ではユーザーＣ７０に該当）と有料で公開された予想データ取得を希望するユーザー（図１ではユーザーＤに該当）によって構成される。ただし、本構成に限らず、適宜別の項目を設けてもよい。
【０１４５】
なお本明細書で記載されている「レース予想データ」とは本実施例の競馬の競技結果予想システムでユーザーよりなされた結果予想のデータのことを指し、「予想データ」とは競馬に限らず、野球やサッカー等、各種競技の予想データのことを指す。
【０１４６】
なお、競技の予想をするユーザーは必ずしも有料・無料を問わず自分の競技予想を公開しなければならないというわけではなく、各競技の予想をコンテンツプロバイダーサーバー１０に送信する際に、該予想を非公開にする設定を行うこともできる。該予想を非公開にすることで、他のユーザーが該予想を取得することはできなくなる。
【０１４７】
本発明の他のユーザーのレース予想データを取得するシステムの構成を示す図１１では、  自分のレース予想を有料にて公開するユーザーをユーザーＡ５０、有料で公開された予想データ取得を希望するユーザーをユーザーＤ８０、
として構成している。
【０１４８】
図１１でユーザーＡ５０はある予想データを有料公開に設定し、コンテンツプロバイダーサーバー１０に予想データを送信する。ユーザーＡ５０が有料設定をした予想データをユーザーＤ８０が取得希望をすると、ユーザーＤ８０より携帯電話会社３０に有料予想料金が支払われることになる。ユーザーＤ８０より支払われた有料予想料金は携帯電話会社３０からコンテンツプロバイダー４０に、一定の手数料を差し引かれた金額で支払われる。コンテンツプロバイダー４０は携帯電話会社３０より受け取った有料予想料金から一定の手数料を差し引いて、ユーザーＡ５０の指定した銀行口座５１に報酬として金額を支払うことになる。
【０１４９】
これよりユーザーＤが公開された他者の予想の中から、有料予想設定されたユーザーＡ５０の予想を取得する場合に、本システムで行われる処理の説明を行う。
【０１５０】
図１２は他のユーザーが行った今後開催されるレースの結果予想を該ユーザーが受信する画面表示の一実施例を示すものである。
【０１５１】
図１３は他のユーザーが行ったレース予想データを該ユーザーの携帯端末が受信し画面表示を行った一実施例を示すものである。
【０１５２】
図１４は本発明の実施の形態にかかわる、他のユーザーが行った今後開催されるレース結果予想を該ユーザーが受信する動作手順を示す前半部分のフローチャートである。図３２は本発明の実施の形態にかかわる、他のユーザーが行った今後開催されるレース結果予想を該ユーザーが受信する動作手順を示す後半部分のフローチャートである。
【０１５３】
ユーザーＤ８０の携帯端末２０にはステップＳ１４０１で図５に示すような「競技別メニュー画面」が表示され、「競技別メニュー画面」にある「他者予想を見る」を選択すると（ステップＳ１４０２）、ソフトウェア１００はステップＳ１４０３で該ユーザーが登録設定を行っているかの判定を行う。登録設定が行われていれば、ステップＳ１４０６に進み、登録設定で入力されているユーザーデータを送信すると共に他者のレース予想データの送信要求をコンテンツプロバイダーサーバー１０に行うというサーバーへタスク要求を行う。
【０１５４】
ステップＳ１４０３で登録設定が行われていないと判定された場合、ソフトウェア１００は図５にある「既存会員認証画面」を表示し、必要事項の入力を該ユーザーに促す（ステップＳ１４０４）。該ユーザーは必要事項の入力を行い（ステップＳ１４０５）、「既存会員認証画面」の下部にある「次へ」ボタンを押すと、ソフトウェア１００は該ユーザーが入力したユーザーデータを送信すると共に、コンテンツプロバイダーサーバー１０に他者のレース予想データの要求を行うタスク要求を行う（ステップＳ１４０６）。
【０１５５】
今回のタスク内容は他者のレース予想データで、なおかつ該携帯端末２０が今まで受信していないデータを受信するために、ソフトウェア１００は携帯端末２０のデータ記憶部２６０に記憶されている他者予想データ２６２４の予想ＩＤを付加してステップＳ６０６のコンテンツプロバイダーサーバー１０へ該携帯端末２０が未取得の他者のレース予想データの送信要求を行うタスク要求を行う。
【０１５６】
コンテンツプロバイダーサーバー１０は携帯端末２０よりタスク要求およびユーザーデータを受信すると（ステップＳ１４０７）、ステップＳ１４０８で携帯端末２０より送られたユーザーデータがコンテンツプロバイダーサーバー１０のデータベース装置１４０にある会員データ１４１の中に正しく合致するものがあるかを判定する。携帯端末２０より送られたユーザーデータが会員データ１４１の中に正しく合致するものがない場合、会員認証は不可であると判定され（ステップＳ１４０８）、携帯端末２０の端末に会員認証ができない旨を表示するよう指示を出し、該携帯端末２０には会員認証不可を該ユーザーに通知する画面を表示する（ステップＳ１４０９）。
【０１５７】
一方、ステップＳ１４０８で携帯端末２０より送られたユーザーデータがコンテンツプロバイダーサーバー１０のデータベース装置１４０にある会員データ１４１の中に正しく合致するものがあると判定された場合、コンテンツプロバイダーサーバー１０の処理はステップＳ１４１０の的確データ検索処理に進む。的確データ検索処理とは、携帯端末２０より送られたタスク内容に基づいて、該携帯端末２０に送信するデータを検索する作業である。
【０１５８】
今回携帯端末２０より要求を受けたタスクは他者のレース予想データで、かつ該携帯端末２０が今まで受信していない情報を、コンテンツプロバイダーサーバー１０のデータベース装置１４０に内在するレース情報データから検索する。
【０１５９】
図２２はコンテンツプロバイダーサーバー１０のデータベース装置１４０に記憶されている全ユーザー予想データ１４４に関する情報の一例を示す図である。前記情報はレースＩＤ欄、予想ＩＤ欄、ユーザー名欄、予想日欄、カップ数欄、公開設定欄、ランキング欄、各レース予想・コメント欄を有する構造となる。ただし全ユーザー予想データ１４４に関する情報は、本構成に限らず、適宜別の項目を設けてもよい。
【０１６０】
全ユーザー予想データ１４４は、データベース装置１４０に記憶されているユーザー別予想データ１４３とランキングデータ１４５と関連付け設定されたリレーションシップとなっている。全ユーザー予想データ１４４は人力によって作成されるのではなく、コンテンツプロバイダーサーバー１０のメモリ１１０に記憶されたプログラムによって制作される。なお、全ユーザー予想データ１４４は、日付が変わるごとにレース予想データ１４２のレース日のデータを参照し、レース日の過ぎたレースＩＤを持つデータを削除することが好ましい。
【０１６１】
上記予想ＩＤ欄とはユーザーから送信された各予想に対し、独自のＩＤを与えるものである。携帯端末２０は、ステップＳ１４０６でコンテンツプロバイダーサーバー１０に「他者予想を見る」というタスク要求を行う際に、該携帯端末が既に取得した他者のレース予想データを重複して送信しないように該携帯端末２０が既に取得した予想ＩＤデータを送信する。コンテンツプロバイダーサーバー１０は受信した予想ＩＤと合致する予想データは送信を行わないようにする。
【０１６２】
公開設定欄は各ユーザーが、該レース予想データを無料で公開していれば「Ｆ」、有料で公開していれば「Ｃ」、公開しないを設定していれば「Ｎ」が入力される。
【０１６３】
ランキング欄では、現在の日付における各ユーザーの取得した累計得点に応じてランキング付けがなされ、前記ランキングデータが各ユーザー毎に入力されている。
【０１６４】
各レース予想・コメント欄は予想欄には各レースでユーザーが予想した競走馬の番号データが入力されている。コメント欄にはユーザーが入力していれば、そのコメントが入力される。
【０１６５】
コンテンツプロバイダーサーバー１０はステップＳ１４１０の的確データ検索の結果、該携帯端末２０が未取得の他者予想データ、および公開設定で「Ｎ」以外の設定を行っている予想データを検索した後、ステップＳ１４１１で前記検索されたデータの内、レースＩＤ欄、予想ＩＤ欄、ユーザー名欄、公開設定欄、公開日欄、ランキング欄、カップ数欄に入力されている各データを該携帯端末２０に送信するデータとして確定し、確定した前期データを該携帯端末２０に送信する。なお該携帯端末２０にデータを送信する際に、レース情報データ１４２を参照し、レースＩＤに該当するレース日欄、会場欄、主なレース名欄に入力されているデータを取り出して、同時に送信しても良い。携帯端末２０が受信したデータは他者予想データ２６２４に追加もしくは更新されて記憶される。Ｓ１４１０およびＳ１４１１でコンテンツプロバイダーサーバー１０は他者の予想の内容となるデータは携帯端末２０に送信するデータとして検索および確定されていないという特徴がある。
【０１６６】
コンテンツプロバイダーサーバー１０からデータを受信後、携帯端末２０は図１２の「公開予想選択画面」を表示し、ユーザーが他者の行った予想を取得するにあたって、まずどのレースの他者の予想を見たいかを選択する（ステップＳ１４１２）。公開予想選択画面では、レースの開催される日付と会場、および当日の主なレース名（メインレース等）が表示される。
【０１６７】
Ｓ１４１１でコンテンツプロバイダーサーバー１０が確定し、送信をしてきたデータにレース日、会場、主なレース名のデータが無い場合、ソフトウェア１００はレースＩＤのデータから受信レース情報データ２６２２に記憶されているデータを参照し、該当するレース日、会場、主なレース名のデータを取り出し、表示を行う。
【０１６８】
ステップＳ１４１２でユーザーがレースを選択すると、携帯端末２０は選択されたレースにおいて、各ユーザーが行ったレース予想データで公開設定をしているとしてコンテンツプロバイダーサーバー１０より受信したユーザー名およびランキング、予想日、カップ数、公開日、公開設定のデータの表示を行い、ユーザーはどのユーザーのレース予想データを希望するかを選択する（ステップＳ１４１３）。
【０１６９】
図１２の「レース別予想者ランキング」はユーザーがどの公開予想を選択するかを決定する画面の一例である。携帯端末２０のソフトウェア１００は、コンテンツプロバイダーサーバー１０より受信し、携帯端末２０のデータ記憶部２６０に記憶されたユーザー名、ランキング、予想日のデータを、おなじく該携帯端末２０のデータ記憶部２６０のレイアウト（スタイルシート）データ２６１３に記憶されているレイアウトデータにしたがって、表示部２２０に表示している。
【０１７０】
本実施例では、公開をしているユーザーはランキングの上位者順に表示されている。また公開設定においては、無料公開設定をしているユーザーで、コンテンツプロバイダーサーバー１０より「Ｆ」のデータが送信された予想には、「Ｆｒｅｅ」と表示され、有料設定をされた予想データでコンテンツプロバイダーより「Ｃ」のデータが送信された予想には「Ｃｈａ」が表示されるよう、レイアウト（スタイルシート）データ２６１３より読み出したレイアウトデータ２６１３より読み出したレイアウトデータに設定されている。この表示により、該画面を見たユーザーはどの予想データが無料で、どのデータが有料なのかを判別することができる。
【０１７１】
図１２の「レース別予想者ランキング」の「次へ」ボタンを選択すると、画面には表示されなかったランキング下位者のユーザー名、ランキング、予想日、公開設定、カップ数のデータが表示される。
【０１７２】
図１２の「レース別予想者ランキング」では、ユーザー名から検索をし、指定したユーザーが該レースにおける公開予想を行っているかを検索することができる。ユーザー名入力欄１２０１に検索したいユーザー名を入力し、「検索」ボタンを選択すると、携帯端末２０のソフトウェア１００は、受信した他者予想データ２６２４のユーザー名を検索し、該レースにおける公開予想データの中に、入力されたユーザー名に該当するデータがあるかを、検索する。
【０１７３】
この検索機能により、例えランキング上位者でなくても、知り合いのユーザー等のユーザー名を知っていれば、知り合いが該レースにおいて既に予想を行っているかを知ることができる。
【０１７４】
ユーザーが有料で予想を公開する場合に該予想を公開するユーザーが任意に該予想の料金を設定することができる場合には、全ユーザー予想データ１４８には有料金額欄が追加され、ユーザーにより各予想データの公開金額としてデータが入力されているので、該金額が表示される。
【０１７５】
ステップＳ１４１３でユーザーＤ８０が１９位のユーザー名「ａｌｓｏ（ユーザーＡ５０）」が有料公開した予想を取得することを選択すると、処理は図３２のステップＳ１４１４に進み、携帯端末２０のソフトウェア１００は、該ユーザーがステップＳ１４１３で選択した予想が、有料公開をされているのか、無料公開されているかを判定する。
【０１７６】
無料公開されている場合はステップＳ１４１５に進み、コンテンツプロバイダーサーバー１０に、ユーザーがステップＳ１４１３で取得希望したユーザーのレース予想データを送信するように要求する。コンテンツプロバイダー１０にユーザーが選択したレース予想データを送信するよう要求する場合、携帯端末２０のソフトウェアは、送信要求をする該レース予想データの予想ＩＤデータを送信することが好ましい。
【０１７７】
ステップＳ１４１４の判定で、ステップＳ１４１３でユーザーが選択した取得希望予想が、有料公開されていると判定されたため、処理はステップＳ１４１６に進む。
【０１７８】
ステップＳ１４１６では、有料予想の受信を希望したユーザーに有料予想のため、該予想を受信することで料金の課金がされることを説明し、有料予想の受信を希望したユーザーが、了承するかの確認を行う有料了承を行う。図１３の「有料予想受信の了承画面」は、ステップＳ１４１６の有料了承を行う本システムの一実施例を示す画面である。有料予想受信の了承画面では、有料予想データを受信する場合の料金、受信したデータの取り扱いにおける注意事項などの説明文が表示されることが好ましい。
【０１７９】
有料予想受信の了承画面は前記説明文と共に、有料予想の受信を希望したユーザーが前記説明文の条件に「了承する」か、「了承しない」かの選択を促すメニューが表示される。有料予想の受信を希望したユーザーが「了承しない」を選択した場合は、携帯端末２０のソフトウェア１００は、有料予想の受信を行うことは不可能であると判定し処理はステップＳ１４１７に進み、ユーザーに希望した有料予想は受信不可であることを通知する（ステップＳ１４１７）。
【０１８０】
ユーザーＤ８０が「了承する」を選択したため、携帯端末２０のソフトウェア１００は、コンテンツプロバイダーサーバー１０に該携帯端末２０の電話番号等のユーザーデータと共に、ユーザーがステップＳ１４１３で取得希望したユーザーのレース予想データを送信するように要求する（ステップＳ１４１８）。コンテンツプロバイダー１０にユーザーが選択したレース予想データを送信するよう要求する場合、携帯端末２０のソフトウェアは、送信要求をする該レース予想データの予想ＩＤ（ここでは「０１２０２１２１５０１」）を送信することが好ましい。また本処理で送信されるユーザーデータとしては少なくとも、該携帯端末２０の電話番号（ここでは「０９０−ＸＸＸＸ−ＸＸＸＸ」）が含まれていることが好ましい。なお本処理で送信されるユーザーデータとしては該携帯端末２０の電話番号以外にも、該携帯端末２０のＩＰアドレスデータ等のデータでもかまわない。また、再度ステップＳ１４０３よりステップ１４０５の一連の処理を加え、該携帯端末２０を使用しているユーザーのユーザー名やパスワード、メールアドレスデータをコンテンツプロバイダーサーバー１０へ送信してもかまわない。該携帯端末２０の電話番号のデータは、コンテンツプロバイダーサーバー１０が携帯電話会社３０に、有料予想を希望したユーザーに対して課金依頼する際に用いられる。
【０１８１】
コンテンツプロバイダーサーバー１０は携帯端末２０より予想要求を受信すると、該携帯端末２０に送信すべき予想データの検索を行う（ステップＳ１４１９）。前記検索は、予想データより携帯端末２０から送信要求を受けた予想ＩＤデータより行われることが好ましい。
【０１８２】
ステップＳ１４１９で検索を行った結果、判定されたデータには、ステップＳ１４１１の処理では送信データとして送信されなかった、予想データのレースＩＤ、予想ＩＤ、ユーザー名、公開設定、予想日、カップ数、ランキング以外のデータである各レース予想・コメント欄に入力されているデータが送信されるデータとして確定される（ステップＳ１４２０）。つまり他者のレース予想の内容となるデータが本ステップにて送信データとして確定される。
【０１８３】
コンテンツプロバイダーサーバー１０はステップＳ１４２０で送信データを確定した後、該予想ＩＤが該当する予想データの公開設定欄を確認し、有料公開として設定されているかを判定する（ステップＳ１４２１）。有料公開設定をされているかの判定は、該予想ＩＤの同一レコード内にある公開欄に入力されているデータより行われる。
【０１８４】
ステップＳ１４２１で有料公開設定がされていないと判定されれば処理はステップＳ１４２５に進み、ステップＳ１４２０で確定された送信データを該携帯端末２０に送信する処理がなされる（ステップＳ１４２５）。
【０１８５】
ステップＳ１４２１で今回送信要求を受けたレース予想データは有料公開設定がされていると判定されたため、処理はステップＳ１４２２に進み、ステップＳ１４１８で該携帯端末２０より送信されたユーザー確認を行う作業が行われる。ユーザー確認としては、ステップＳ１４１８で携帯端末２０より送られた該携帯端末２０の電話番号データを含むユーザーデータと、コンテンツプロバイダーサーバー１０のデータベース装置１４０に内在する会員データ１４１から、有料予想データの受信を希望しているユーザーの検索を行う。
【０１８６】
ステップＳ１４２２で有料予想データの受信を希望しているユーザーの検索の結果、受信を希望しているユーザーはユーザーＤ８０（ユーザーＩＤ「００００４」と判明）であると判明したため、課金・報酬データ１４６を更新する作業をコンテンツプロバイダーサーバー１０は行う（ステップＳ１４２３）。
【０１８７】
課金・報酬データ１４６とは、有料設定で登録された予想データで、他のユーザーに取得された該予想データの予想ＩＤをもとに、該予想ＩＤの公開（登録）を行ったユーザーＩＤおよび該予想を取得したユーザーＩＤを検索し、データとしてコンテンツプロバイダーサーバー１０に保管されているものである。
【０１８８】
図２４はコンテンツプロバイダーサーバーのデータベース装置に記憶されている課金・報酬データに関する情報の一例を示す図である。
【０１８９】
図２２はコンテンツプロバイダーサーバー１０のデータベース装置１４０に記憶されている課金・報酬データ１４６に関する情報の一例を示す図である。前記情報は予想ＩＤ欄、予想公開者ユーザーＩＤ欄、送信日時欄、受信者ユーザーＩＤ欄、受信者ＴＥＬ欄、を有する構造となる。ただし課金・報酬データ１４６に関する情報は、本構成に限らず、適宜別の項目を設けてもよい。
【０１９０】
予想ＩＤ欄には、有料設定で登録された有料予想データで、他のユーザーに取得された該有料予想データの予想ＩＤが入力される。ここではユーザーＤ８０が取得を希望した「０１２０２１２１５０１」が入力される。
【０１９１】
公開者ＩＤユーザーＩＤ欄には該予想ＩＤを持つ予想データをコンテンツプロバイダーサーバー１０に登録したユーザーのユーザーＩＤが入力される。コンテンツプロバイダーサーバー１０は全ユーザー予想データ１４４を参照し、該予想ＩＤのデータのあるユーザーＩＤに入力されているデータを取得し、入力する。ここでは「０００１２」が入力される。
【０１９２】
送信日時欄には、コンテンツプロバイダーサーバー１０は、記憶装置１５０に記憶された日付データをもとに現在の日付および時刻のデータを入力する。ここでは時刻は２００２年１２月１４日１３時５２分と仮定し、該送信日時データに入力されるデータは「２００２１２１２１３５２」が入力される。
【０１９３】
受信者ユーザーＩＤ欄には、前記ステップ１４２２で検索されたユーザーＩＤが入力される。前記説明よりここでは「００００４」が入力される。
【０１９４】
受信者ＴＥＬ欄には、Ｓ１４１５で携帯端末２０よりユーザーデータとして送信された該携帯端末の電話番号データが入力される。ここでは「０９０−ＸＸＸＸ−ＸＸＸＸ」が入力される。
【０１９５】
ステップ１４２３で課金・報酬データの更新作業を終えると、処理はＳ１４２４に進み、ユーザー別課金データの更新作業に移る。ここではコンテンツプロバイダーサーバー１０に記録されたユーザー別課金データ１４７のデータを、前記ステップＳ１４２２で更新された課金・報酬データ１４６を元に更新する作業である。
【０１９６】
ユーザー別課金データの更新は前記課金・報酬データ１４６で記憶された公開者ユーザーＩＤに記憶されたユーザーＩＤ（ここでは「０００１２」）を持つユーザーのユーザー別課金データ１４７と、前記課金・報酬データ１４６で記憶された受信者ユーザーＩＤに記憶されたユーザーＩＤ（ここでは「００００４」）を持つユーザーのユーザー別課金データ１４７がそれぞれ更新される。
【０１９７】
図２７はユーザーＤ８０のユーザー別課金データ１４７を図示したものである。
【０１９８】
図２８はユーザーＡ５０のユーザー別課金データ１４７を図示したものである。
【０１９９】
ユーザー別課金データ１４７はユーザー識別データ１４７１、報酬−データ１４７２、徴収データ１４７３によって構成されている。
【０２００】
ユーザー識別データ１４７１には、会員データ１４１に記憶されている各ユーザーのユーザーＩＤ、ユーザー名、（該ユーザーの携帯端末２０の）電話番号の各データがユーザーＩＤ欄、ユーザー名欄、携帯番号欄に入力される。
【０２０１】
報酬データ１４７２には、予想ＩＤ欄、レースＩＤ欄、送信日時欄、単価欄、予想数欄１４７４、送信回数欄１４７５、合計報酬額欄１４７６が用意されている。
【０２０２】
課金・報酬データ１４６に記憶されたデータで、公開者ユーザーＩＤ欄に入力されたユーザーＩＤを持つユーザー別課金データ１４７の報酬データ１４７２の予想ＩＤ欄、レースＩＤ欄に、課金・報酬データに記憶された該データの同一レコードにある予想ＩＤ、およびレースＩＤのデータが入力され、課金・報酬データ１４６の該レコードにある送信日時のデータが、該ユーザー別課金データ１４７の報酬データの送信日時データに入力される。報酬データにある単価欄には、徴収金額から一定の手数料を引かれた金額が入力される。
【０２０３】
本実施例では公開者ユーザーＩＤ欄にはユーザーＡのユーザーＩＤ「０００１２」が入力されている為、図２８のユーザーＡのユーザー別課金データ１４７の報酬データ１４７２欄に各データが入力される。
【０２０４】
報酬データの予想数欄１４７４には、該ユーザーがコンテンツプロバイダーサーバー１０に送信し、登録されている有料公開されている予想の数が入力される。予想の数は予想ＩＤ毎にカウントされて、予想数欄１４７４に入力される。
【０２０５】
送信回数欄１４７５には、該ユーザーの有料公開されているレース予想データで他のユーザーに送信された回数が入力される。報酬データの送信日時に入力されたデータの件数が、送信回数欄に入力される。
【０２０６】
合計報酬額欄１４７６には、報酬データ１４７２の単価欄に入力された金額の合計値が入力される。合計報酬額欄１４７６に入力された金額が、該ユーザーに支払われることになる。
【０２０７】
徴収データ１４７３には、予想ＩＤ欄、レースＩＤ欄、要求日時欄、単価欄、要求回数欄１４７７、合計徴収額欄１４７８が用意されている。
【０２０８】
課金・報酬データ１４６に記憶されたデータで、受信者ユーザーＩＤに入力されたユーザーＩＤを持つユーザー別課金データ１４７の徴収データ１４７３の予想ＩＤ欄、レースＩＤ欄に、課金・報酬データに記憶された該データの同一レコードにある予想ＩＤ、およびレースＩＤのデータが入力され、課金・報酬データ１４６の該レコードにある送信日時のデータが、該ユーザー別課金データ１４７の徴収データ１４７３の要求日時データに入力される。徴収データにある単価欄には、徴収金額が入力される。
【０２０９】
本実施例では受信者ユーザーＩＤ欄にはユーザーＤのユーザーＩＤ「００００４」が入力されている為、図２７のユーザーＤのユーザー別課金データ１４７の徴収データ１４７３欄に各データが入力される。
【０２１０】
徴収データの要求回数欄１４７７には、該ユーザーが有料公開されているレース予想データを、該ユーザーの携帯端末２０に送信要求を行った回数が入力される。徴収データの要求日時に入力されたデータの件数が、要求回数欄１４７７に入力される。
【０２１１】
合計徴収額欄１４７８には、徴収データ１４７３の単価欄に入力された金額の合計値が入力される。合計徴収額欄１４７８に入力された金額を、該ユーザーは携帯電話会社３０に支払うことになる。
【０２１２】
本実施例では、各ユーザーの報酬データと徴収データを同一のユーザー別課金データの中に内在させる手法を採用したが、各ユーザーの報酬データと徴収データを別に分けて、ユーザー別徴収データとユーザー別報酬データを分けて、コンテンツプロバイダーサーバー１０のデータベース装置１４０に内在させる手法を用いてもよい。
【０２１３】
ステップＳ１４２４のユーザー別課金データ１４７の更新作業を終えたコンテンツプロバイダーサーバー１０はステップＳ１４２５に進み、ステップＳ１４２０で確定された送信データを該携帯端末２０に送信する処理がなされる（ステップＳ１４２５）。
【０２１４】
コンテンツプロバイダーサーバー１０より送信されたデータを受信し他者予想データ２６２４に記憶した該携帯端末２０のソフトウェア１００は、受信した該予想データを表示部２２０に表示する（ステップＳ１４２６）。コンテンツプロバイダーサーバー１０より受信したデータを携帯端末２０の表示部２２０で表示する場合は、携帯端末２０のデータ記憶部２６０に記憶されているレイアウト（スタイルシート）データ２６１３を使用する。
【０２１５】
ユーザーが有料で予想を公開する場合に該予想を公開するユーザーが任意に該予想の料金を設定している場合には、課金報酬データには該予想データに設定された金額の値が入力される金額欄が追加される。金額欄には予想ＩＤから全ユーザー予想データ１４８、か又はユーザー別予想データ１４３から該予想ＩＤを検索し、同一レコード内の金額欄に入力されている金額が入力される。
【０２１６】
課金・報酬データ１４６で受信者ユーザーＩＤに入力されたユーザーＩＤのユーザー別課金データの徴収データ１４７の単価欄には、課金・報酬データ１４６の該予想データの同一レコード内にある前記金額欄に入力されているデータが入力される。一方で課金・報酬データ１４６で公開者ユーザーＩＤに入力されたユーザーＩＤのユーザー別課金データの報酬データ１４７の単価欄には、課金・報酬データ１４６の該予想データの同一レコード内にある前記金額欄に一定の手数料が引かれた金額のデータが入力されることになる。
【０２１７】
図１３の「無料公開予想画面」は、携帯端末２０の表示部２２０に表示される本システムの一実施例の無料公開予想データを示す画面である。「有料公開予想画面」は、携帯端末２０の表示部２２０に表示される本システムの一実施例の有料公開予想データを示す画面である。
【０２１８】
公開予想画面では、表示される内容が、全国ランキング順位、レースが行われる日付、開催場所、第ｎレースで上位３着以内になると予想された馬番号および競走馬名（ｎは正の整数）、各レースのコメントで構成されている。ただし、本構成に限らず、適宜別の項目を設けてもよい。各レースの他者の公開予想データを受信したユーザーは、該予想データを基に実際のレースの予想を行うことができる。
【０２１９】
また「メールで受取る」を選択すると取得した他者の予想データを別の端末に送信することもできる。
【０２２０】
本発明の他のユーザーのレース予想データを取得するシステムの構成を示す図１１では、
無料で公開された予想データ取得を希望するユーザーをユーザーＣ７０、
有料で公開された予想データ取得を希望するユーザーをユーザーＤ８０
として構成している。
【０２２１】
図１１でユーザーＢ６０はあるレース予想を無料公開に設定し、コンテンツプロバイダーサーバー１０に予想を登録する。ユーザーＢ６０が無料設定した予想をユーザーＣ７０が取得希望をするとコンテンツプロバイダーサーバー１０はユーザーＣ７０の携帯端末に該予想を送信する。この際、該予想は無料公開されているので、ユーザーＣ７０は料金を別途徴収されることはない。
【０２２２】
なお、無料公開の設定をされた予想を他者が取得した場合に、該予想の取得された回数や、日時をコンテンツプロバイダーサーバー１０が記憶し、該予想を公開したユーザーが希望すれば、該予想の取得された回数および日時を確認することができるようにしてもよい。
【０２２３】
図１６は本発明の実施の形態にかかわる、ユーザーが課金設定・情況の情報提供を受ける動作手順を示す前半部分のフローチャートである。図３３は本発明の実施の形態にかかわる、ユーザーが課金設定・情況の情報提供を受ける動作手順を示す後半部分のフローチャートである。
【０２２４】
ユーザーが携帯端末２０のテンキーや各種入力キー等の入力部２０２を操作し、ダウンロードした本ソフトウェア１００を起動すると、図５のソフトメインメニュー画面を表示する。図５のソフトメインメニュー画面の「課金」を選択すると、課金メニューが表示される（ステップＳ１６０１）。図１５は本発明に係る一実施形態に係わる課金設定における画面表示の一実施例を示すものである。課金メニューには、「課金設定を行う」、「課金状況確認」の２つで構成されている。ただし課金メニューに関する構成は、本構成に限らず、適宜別の項目を設けてもよい。
【０２２５】
「課金設定を行う」では自分の予想を有料公開設定することを希望するユーザーが、報酬金額を受け取るために報酬額の支払い口座の指定などを行うことができる。
【０２２６】
「課金状況確認」では、ユーザーの現在における報酬額および徴収額を確認することができる。
【０２２７】
Ｓ１６０１で表示された図１５の「課金メニュー画面」からユーザーがメニューを選択すると（ステップＳ１６０２）、携帯端末２０のソフトウェア１００はステップＳ１６０３で該ユーザーが登録設定を行っているかの判定を行う。登録設定が行われていれば、ステップＳ１６０６に進み、登録設定で入力されているユーザーデータを送信すると共に、コンテンツプロバイダーサーバー１０に該ユーザーの課金設定の依頼、もしくは該ユーザーの課金状況のデータの送信を要求するタスク要求を行う（ステップＳ１６０６）。
【０２２８】
ステップＳ１６０３で登録設定が行われていないと判定された場合、ソフトウェア１００は図５にある「既存会員認証画面」を表示し、必要事項の入力を該ユーザーに促す（ステップＳ１６０４）。該ユーザーは必要事項の入力を行い（ステップＳ１６０５）、「既存会員認証画面」の下部にある「次へ」ボタンを押すと、ソフトウェア１００は該ユーザーが入力したユーザーデータを送信すると共に、コンテンツプロバイダーサーバー１０に該ユーザーの課金設定の依頼、もしくは該ユーザーの課金状況のデータの送信を要求するタスク要求を行う（ステップＳ１００７）。
【０２２９】
コンテンツプロバイダーサーバー１０は携帯端末２０よりタスク要求およびユーザーデータを受信すると（ステップＳ１６０７）、ステップＳ１６０８で携帯端末２０より送られたユーザーデータがコンテンツプロバイダーサーバー１０のデータベース装置１４０にある会員データ１４１の中に正しく合致するものがあるかを判定する。携帯端末２０より送られたユーザーデータが会員データ１４１の中に正しく合致するものがない場合、会員認証は不可であると判定され、携帯端末２０の端末に会員認証ができない旨を表示するよう指示を出し、該携帯端末２０には会員認証不可を該ユーザーに通知する画面を表示する（ステップＳ１６２２）。
【０２３０】
一方、ステップＳ１００９で携帯端末２０より送られたユーザーデータがコンテンツプロバイダーサーバー１０のデータベース装置１４０にある会員データ１４１の中に正しく合致するものがあると判定された場合、コンテンツプロバイダーサーバー１０の処理はステップＳ１６０９でユーザーのタスク要求が「課金設定を行う」であるかを判定する処理を行う。
【０２３１】
Ｓ１６０９の判定の結果、「課金設定を行う」でないと判定された場合は、処理はＳ１６１０の的確データ検索処理に進む。的確データ検索処理とは、携帯端末２０より送られたタスク内容に基づいて、該携帯端末２０に送信するデータを検索する作業である。
【０２３２】
今回携帯端末２０より要求を受けたタスクはユーザーの報酬状況データの要求であり、コンテンツプロバイダーサーバー１０のデータベース装置１４０のユーザー別課金データ１４７で、ユーザー名等から該ユーザーの課金データを検索し、検索されたデータを該携帯端末２０に送信すべきデータとして確定する（ステップＳ１６１１）。なお本ステップで該携帯端末２０に送信する課金データの内、徴収データにおいては、要求日時のデータから、今月分だけのデータを検索し、該携帯端末２０に送信してもよい。
【０２３３】
コンテンツプロバイダー４０は検索の結果確定されたデータを、携帯端末２０に送信し、携帯端末２０のソフトウェア１００はコンテンツプロバイダーサーバー１０より送信を受けたデータを、該ユーザー課金・報酬データ２６２６に記憶した後、表示部２２０に図１５に示すような「課金状況確認画面」を表示する（ステップＳ１６２３）。
【０２３４】
課金状況画面では、該ユーザーの報酬データおよび徴収データが表示され、報酬データには、該ユーザーが有料公開設定を行ったレース予想数、該ユーザーの有料予想をコンテンツプロバイダーサーバー１０が他のユーザーに送信した回数、および該ユーザーに支払われる報酬額が表示される。徴収データには、該ユーザーが他者の有料公開された予想データを、該携帯端末２０に取得するためコンテンツプロバイダーサーバー１０に送信要求を行った回数と該ユーザーが支払うべき徴収額が表示される構成となっている。ただし課金状況画面では本構成に限らず、適宜別の項目を設けてもよい。
【０２３５】
一方、コンテンツプロバイダーサーバー１０はステップＳ１６０９でユーザーが選択したメニューが「課金設定を行う」であり、タスク要求が課金設定依頼であると判定すると処理を図３３のＳ１６１２に進め、コンテンツプロバイダーサーバー１０は該携帯端末２０に課金サービス了承画面を表示させるよう指示を出し、携帯端末２０のソフトウェア１００は表示部２２０に図１５に示すような「課金サービス了承画面」を表示する（ステップＳ１６１２）。
【０２３６】
課金サービス了承画面では、報酬の支払い先を登録するために該ユーザーの詳細なデータをコンテンツプロバイダーサーバー１０に登録する点、他者が自分の有料予想データを受信した場合に支払われる報酬の金額（か、あるいは差し引かれる手数料）、支払期日、支払条件等の説明文が表示されることが好ましい。
【０２３７】
課金サービス了承画面は前記説明文と共に、ユーザーが前記説明文の条件に同意するか、同意しないかの選択を促すメニューが表示される。ユーザーが同意しないを選択した場合は、携帯端末２０のソフトウェア１００は、課金設定を行うことは不可能であると判定し（ステップＳ１６１３）、ユーザーに課金設定は不可能であることを通知する（ステップＳ１６１４）。
【０２３８】
ユーザーが「同意する」を選択したとステップＳ１６１３で判定された場合は、携帯端末２０のソフトウェア１００は、図１５の「詳細入力画面」に示すような詳細入力画面を表示する（ステップＳ１６１５）。
【０２３９】
図１５の詳細入力画面では、氏名欄、シメイ欄、住所欄、生年月日欄、銀行名入力欄、銀行支店名入力欄、口座番号欄、口座名義人名欄、口座名義人（フリガナ）欄を有する構造となる。ただし詳細入力画面に関する入力欄は、本構成に限らず、適宜別の項目を設けてもよい。
【０２４０】
ユーザーは各情報を入力し（ステップＳ１６１６）、詳細入力画面の下部にある「送信」ボタンを押すと、携帯端末２０のソフトウェア１００はコンテンツプロバイダーサーバー１０にユーザーがステップＳ１６１６で入力したデータを送信する（ステップＳ１６１７）。
【０２４１】
コンテンツプロバイダーサーバー１０は受信したデータに不備がないかを判断し（ステップＳ１６１８）、不備がないと判断されれば、ステップＳ１６２０に進み、会員データ１４１の追加もしくは更新の作業を行う。ここでは、会員データ１４１に該ユーザーが詳細入力画面で入力した課金設定のデータを追加もしくは更新する。
【０２４２】
ステップＳ１６２０の処理の後、ステップＳ１６２１に進み、携帯端末２０は課金設定完了画面を表示する（ステップＳ１６２１）。
【０２４３】
ステップＳ１６１８で受信したデータに不備があると判定された場合は、コンテンツプロバイダーサーバー１０は該携帯端末２０に再入力依頼画面を表示するよう指示し、再入力依頼を受信した携帯端末２０は（ステップＳ１６１９）、ステップＳ１６１５に戻り、再度詳細入力画面を表示する。
【０２４４】
図３は、コンテンツプロバイダー４０が提供する本サービスの画面表示の一実施例を示すものである。「サイトメインメニュー」はインターネット上で公開されているコンテンツプロバイダーが設置したサイト、もしくはホームページである。「サイトメインメニュー」のメニューにある「ランキング画面」とはコンテンツプロバイダー４０が提供する本サービスにおいて、コンテンツプロバイダーサーバー１０にユーザー登録しているユーザーの獲得得点もしくは獲得カップ数によるランキング情報を提供する画面である。
【０２４５】
図１７はコンテンツプロバイダー４０が提供するユーザーのランキング画面表示の一実施例を示すものである。
【０２４６】
利用者もしくはユーザーがサイトメインメニューにある「ランキング画面」を選択すると、図１７の「ランキングメニュー画面」が表示される。
本サービスを受けているユーザーは獲得得点と獲得カップ数に応じてそれぞれランキング順位が与えられる。各ランキングは累計ランキング、月間ランキング、年間ランキングによって分けられている。
【０２４７】
累計ランキングとは本サービスが始まって以来、各ユーザーが獲得した得点およびカップ数に応じてランキングされたものである。
【０２４８】
月間ランキングとは、月毎に各ユーザーが獲得した得点およびカップ数に応じてランキングされたものである。
【０２４９】
年間ランキングとは、年毎に各ユーザーが獲得した得点およびカップ数に応じてランキングされたものである。
【０２５０】
ユーザーの獲得得点およびカップ数のデータはコンテンツプロバイダーサーバー１０が内部に所有するデータベース装置１４０にあるランキングデータ１４５に記憶されている。図２３はコンテンツプロバイダーサーバー１０のデータベース装置１４０に記憶されている全ユーザーの累計得点ランキングデータに関する情報の一例を示す図である。前記情報はランキング欄、ユーザーＩＤ欄、累計得点欄、カップ数欄を有する構造となる。ただしランキングデータ１４５の累計ランキングデータに関する情報は、本構成に限らず、適宜別の項目を設けてもよい。
【０２５１】
累計ランキングデータ、月間ランキングデータ、年間ランキングデータの各ランキングデータ１４５は、コンテンツプロバイダーサーバー１０に記憶されているユーザー別予想データ１４３のユーザーＩＤ欄、レース日欄、ユーザー名欄、得点欄、カップ獲得欄のデータが、ランキングの種類に応じて抽出され、制作される。
【０２５２】
ランキングデータ１４５は実際のレースが終了し、コンテンツプロバイダー４０によってレース結果の結果が、レース情報データ１４２に追加あるいは更新された後に、更新されるよう設定されていることが望ましい。
【０２５３】
利用者もしくはユーザーは表示されたランキングメニューから閲覧したいランキングの種類を選択すると、コンテンツプロバイダーサーバー１０より選択したランキングデータが送信される。
【０２５４】
図１７の「累計得点ランキング」は、利用者もしくはユーザーが得点ランキングの累計ランキングを選択した場合に表示される画面を図示したものである。ランキングランキング画面では得点の高いユーザーからランキング上位者として表示されている。カップ獲得ランキングを選択した場合は、カップ獲得数の多いユーザー順にランキングが与えられ、ランキング上位者として表示されることになる。
【０２５５】
本実施例においてランキング画面に表示されるデータは、ランキング順位、ユーザー名、累計得点、獲得したカップの数分のカップ画像が表示される構成となっているが、本構成に限らず、適宜別の項目を設けてもよい。
【０２５６】
「累計得点ランキング」画面の下にある「次へ」ボタンを選択していくと、画面には表示されなかったランキング下位者のデータが表示されていく。
【０２５７】
ランキングメニュー画面では、ユーザー名から検索をし、指定したユーザーのランキング状況を確認することができる。ユーザー名入力欄１７０１に検索したいユーザー名を入力し、「検索」ボタンを選択すると、利用者もしくはユーザーの使用している端末からコンテンツプロバイダーサーバー１０に検索データを送信し、コンテンツプロバイダーサーバー１０は、ユーザー名入力欄に入力されたユーザー名に該当するデータがあるかを検索し、検索結果を該端末に送信する。
【０２５８】
図１７の「検索結果画面」はコンテンツプロバイダーサーバー１０が行った検索の結果を、利用者もしくはユーザーの端末に表示する画面を図示したものである。検索の結果は、該当したユーザー人数が表示され、該当したユーザーのユーザー名、累計ランキング、累計獲得カップ数が表示される。
【０２５９】
この検索機能により、例えランキング上位者でなくても、知り合いのユーザー等のユーザー名を利用者もしくはユーザーが知っていれば、知合いのランキング状況を確認することができる。
【０２６０】
なお、図１２のユーザー名入力欄１２０１と図１７のユーザー名入力欄の２つが本明細書で存在するが、図１２のユーザー名入力欄で入力されたデータ検索は、携帯端末２０のソフトウェア１００が、携帯端末２０の他者予想データ２６２４に記憶されたデータを検索するのに対し、図１７のユーザー名入力欄で入力されたデータ検索は、コンテンツプロバイダーサーバー１０がコンテンツプロバイダーサーバー１０のデータベース装置１４０に内在するランキングデータ１４５に記憶されたデータより検索を行うという各特徴がある。
【０２６１】
図１８は、図１におけるコンテンツプロバイダーサーバー１０の電子回路の一例を示すブロック図である。コンテンツプロバイダーサーバー１０は、各種記憶媒体に記憶されたプログラムを読み込み、該プログラムによって動作が制御されるコンピュータである。
【０２６２】
コンテンツプロバイダーサーバー１０は、図１８に示すように、ＣＰＵ１３０、入力装置１２０、メモリ１１０、通信装置１６０、記憶装置１５０、データベース装置１４０、及びこれらを双方向通信可能に接続するメインバス１７０を具備してなる。
【０２６３】
ＣＰＵ１３０は、コンテンツプロバイダーサーバー１０の全体を制御し、メモリ１１０に格納されたプログラムやデータ等に基づいて動作し、各種機能を実現する。該各種機能としては、データベース装置１４０に記憶された各データの検索、リレーションシップされた各データの更新作業などである。
入力装置３２は、プロバイダの管理者がレース情報データ１４２等の入力を行うための装置である。
【０２６４】
メモリ１１０は、ＣＰＵ１３０によってアクセスされる為のプログラムやデータ、携帯端末２０から受信した情報、必要に応じて記憶装置１５０、データベース装置１４０等から読み出した情報、等を格納する機能を有する。
【０２６５】
通信装置１６０は、通信回線１６１等を介した外部との通信を制御する装置である。通信装置１６０は、例えば、モデムを変換装置として備えていてもよいし、ＩＳＤＮ回線との接続に介在するターミナルアダプタ（ＴＡ）及びデジタルサービスユニット（ＤＳＵ）を備えていてもよい。
【０２６６】
記憶装置１５０は、各種プログラムや各種データを格納乃至記憶する機能を有し、例えば、記憶手段としてのＲＯＭ１５２、ＲＯＭ１５２に記憶された記憶媒体を読み込むレコーダー１５１等を有してなる。
【０２６７】
なお、前記各種データとしては、日付データ、画像データ、携帯端末２０にダウンロードされるソフトウェア１００が圧縮されたデータ、携帯端末２０にダウンロードされるレイアウトデータなどが挙げられる。また、前記記憶手段としては、ＲＯＭ等の電子メモリ回路（電子記憶媒体）のほかに、フレキシブルディスク等の磁気記憶媒体を前記記憶媒体とする磁気記憶装置、ＣＤ−ＲＯＭ等の光学的記憶媒体を前記記憶媒体とする光学記憶装置、などが挙げられる。前記記憶媒体としては、前記記憶手段に固定的に設けたものであってもよいし、着脱自在に設けたものであってもよい。前記記憶媒体に記憶されるプログラム、データ等は、コンテンツプロバイダーサーバー１０外にある記憶装置から通信手段を介して受信するようにしてもよい。
【０２６８】
データベース装置１４０は、会員データ１４１、レース情報データ１４２、ユーザー別予想データ１４３、全ユーザー予想データ１４４、ランキングデータ１４５、課金・報酬データ１４６、ユーザー別課金データ１４７、などを内部に格納している。各データは別のデータと関連つけられたリレーションシップを設定されていることが好ましい。ただしデータベース装置１４０に記憶されているデータの構成は、本構成に限らず、適宜別の項目を設けてもよい。
【０２６９】
以上のようにコンテンツプロバイダーサーバーと携帯端末とでなされるデータの送受信量の少ないネットワーク端末情報配信システムを提供が可能となった。またインターネット上で行われる予想大会で、参加者が自分の予想を公開するか否かの選択を行い、かつ該予想を公開する場合は、有料で公開するか、もしくは無料で公開するかの選択が行えるインターネット上の競技結果予想システムを提供することが可能となった。
【０２７０】
また他の利用者によって有料で公開された競技の予想データを携帯端末に受信した利用者に、料金の徴収を行うことと、他の利用者に取得された有料の予想データを公開した利用者に有料金額に対する一定の報酬を支払うことを可能とするインターネット上の競技結果予想システムを提供することが可能となった。
【０２７１】
以上本システム上におけるサービス提供を受けることで、レース予想の的中率の高いユーザーはランキング上位者として表示され、かつ該ユーザーがレースの予想を公開していれば、他のユーザーはそのレースの予想データを取得することができる。
【０２７２】
またレースの予想を公開する際に、有料による公開とすることで、該予想を他のユーザーが取得することで、該予想を公開したユーザーは報酬を受け取ることができる。自分の予想を有料公開したいユーザーは、レース予想の的中率を高めればランキング順位があがり、ランキング順位が上がることで、他のユーザーから有料で公開した予想の取得をより多く受けられることが見込めるため、より真剣にレースの予想を行うようになり、いっそう各ユーザーの熱のこもったインターネット上の競技結果予想システムを提供することができる。
【０２７３】
【発明の効果】
以上説明したように、本発明に係るネットワーク上の端末情報配信システム及び競技結果予想システムによれば、利用者が携帯端末にソフトウェアをダウンロードすることで、コンテンツプロバイダーサーバーとのデータの送受信量の少ないネットワーク端末情報配信システムを提供が可能となり、またインターネット上の競技結果予想システムの利用者は自分の予想を公開するか否か、また有料で公開するか、無料で公開するかを設定することができ、有料で公開した予想データを他の利用者が受信すれば、一定の報酬を受け取ることができるインターネット上の競技結果予想システムを提供することができる。
【０２７４】
また自分の予想データを公開する金額を自分で設定できるシステムを提供されることで、ユーザーはランキング順位が上がれば、より高い金額を設定しても、他のユーザーが自分の予想データを取得することが見込めるため、いっそう真剣に予想に取り組むようになり、インターネット上の競技結果予想はいっそう趣が高いものとなる。
【図面の簡単な説明】
【図１】本発明に係る一実施形態に係わるシステムの構成を示す図である。
【図２】図１における携帯端末の構成を示す図である。
【図３】本発明に係る一実施形態に係わるコンテンツプロバイダーが提供するメニュー画面表示の一実施例を示すものである。
【図４】本発明に係る一実施形態に係わるコンテンツプロバイダーサーバーより携帯端末にソフトウェアをダウンロードする動作手順を示す前半部分のフローチャートである。
【図５】本発明に係る一実施形態に係わるネットワーク上の端末情報配信システム及び競技結果予想システムの携帯端末に表示されるソフトウェアのメニュー画面の一例を示す図である。
【図６】本発明の実施の形態にかかわる、携帯端末が今後開催される競技の情報をコンテンツプロバイダーサーバーから取得する動作手順を示すフローチャートである。
【図７】本発明の実施の形態にかかわる、レースの予想がなされる画面表示の一実施例を示すものである。
【図８】本発明の実施の形態にかかわる、今後開催されるレースの結果予想を行う動作手順を示す前半部分のフローチャートである。
【図９】本発明に係る一実施形態に係わるネットワーク上の端末情報配信システム及び競技結果予想システムの携帯端末に表示されるユーザーのレース予想の結果が判定される画面表示の一実施例を示すものである。
【図１０】本発明の実施の形態にかかわる、該ユーザーのレース予想の結果判定を行う動作手順を示す前半部分のフローチャートである。
【図１１】他のユーザーのレース予想データを取得するシステムの構成を示す図である。
【図１２】本発明の実施の形態にかかわる、他のユーザーが行った今後開催されるレースの結果予想を該ユーザーが受信する画面表示の一実施例を示すものである。
【図１３】本発明の実施の形態にかかわる、他のユーザーが行ったレース予想データを該ユーザーの携帯端末が受信し画面表示を行った一実施例を示すものである。
【図１４】本発明の実施の形態にかかわる、他のユーザーが行った今後開催されるレース結果予想を該ユーザーが受信する動作手順を示す前半部分のフローチャートである。
【図１５】本発明に係る一実施形態に係わる他者レース予想取得システムの携帯端末に表示されるソフトウェアの課金メニュー画面の一例を示す図である。
【図１６】本発明の実施の形態にかかわる、ユーザーが課金設定・情況の情報提供を受ける動作手順を示す前半部分のフローチャートである。
【図１７】コンテンツプロバイダーが提供するユーザーのランキング画面表示の一実施例を示すものである。
【図１８】本発明の実施の形態にかかわる、コンテンツプロバイダーサーバーの電子回路の一例を示すブロック図である。
【図１９】本発明の実施の形態にかかわる、コンテンツプロバイダーサーバーのデータベース装置に記憶されている会員データに関する情報の一例を示す図である。
【図２０】本発明の実施の形態にかかわる、コンテンツプロバイダーサーバーのデータベース装置に記憶されているレース情報データに関する情報の一例を示す図である。
【図２１】本発明の実施の形態にかかわる、コンテンツプロバイダーサーバーのデータベース装置に記憶されている各ユーザーのレース予想データに関する情報の一例を示す図である。
【図２２】コンテンツプロバイダーサーバーのデータベース装置に記憶されている全ユーザー予想データに関する情報の一例を示す図である。
【図２３】コンテンツプロバイダーサーバーのデータベース装置に記憶されているランキングデータに関する情報の一例を示す図である。
【図２４】コンテンツプロバイダーサーバーのデータベース装置に記憶されている課金・報酬データに関する情報の一例を示す図である。
【図２５】コンテンツプロバイダーサーバーのデータベース装置に内在する各種データの構成を示す図である。
【図２６】携帯端末のデータ記憶部にダウンロードされたソフトウェアのデータ構成を示す図である。
【図２７】ユーザーＤのユーザー別課金データを図示したものである。
【図２８】ユーザーＡのユーザー別課金データを図示したものである。
【図２９】本発明に係る一実施形態に係わるコンテンツプロバイダーサーバーより携帯端末にソフトウェアをダウンロードする動作手順を示す後半部分のフローチャートである。
【図３０】本発明の実施の形態にかかわる、今後開催されるレースの結果予想を行う動作手順を示す後半部分のフローチャートである。
【図３１】本発明の実施の形態にかかわる、該ユーザーのレース予想の結果判定を行う動作手順を示す後半部分のフローチャートである。
【図３２】本発明の実施の形態にかかわる、他のユーザーが行った今後開催されるレース結果予想を該ユーザーが受信する動作手順を示す後半部分のフローチャートである。
【図３３】本発明の実施の形態にかかわる、ユーザーが課金設定・情況の情報提供を受ける動作手順を示す後半部分のフローチャートである。
【符号の説明】
１０  コンテンツプロバイダーサーバー
２０  携帯端末
３０  携帯電話会社３０
４０  コンテンツプロバイダー
５０  ユーザーＡ
５１  ユーザーＡの銀行口座
６０  ユーザーＢ
７０  ユーザーＣ
８０  ユーザーＤ
８１  ユーザーＤの端末
９０  銀行
１００  ソフトウェア
１１０  メモリ
１２０  入力装置
１３０  ＣＰＵ
１４０  データベース装置
１４１  会員データ
１４２  レース情報データ
１４３  ユーザー別予想データ
１４４  全ユーザー予想データ
１４５  ランキングデータ
１４６  課金・報酬データ
１４７  ユーザー別課金データ
１５０  記憶装置
１５１  レコーダー
１５２  ＲＯＭ
１６０  通信装置
１６１  通信回線
１７０  メインバス
２１０  入力部
２２０  表示部
２３０  マイク
２４０  通信部
２５０  記憶部
２６０  データ記憶部
２７０  スピーカー
２８０  バッテリー
２９０  制御部
１２０１  ユーザー名入力欄
１４７１  ユーザー識別データ
１４７２  報酬データ
１４７３  徴収データ
１４７４  予想数欄
１４７５  送信回数欄
１４７６  合計報酬額欄
１４７７  要求回数欄
１４７８  合計徴収額欄
１７０１  ユーザー名入力欄
２６１０  ダウンロードソフトウェア
２６１１  プログラムデータ
２６１２  各画面データ
２６１３  レイアウト（スタイルシート）データ
２６２０  ソフトウェア記憶部
２６２１  登録設定データ
２６２２  受信レース情報データ
２６２３  該ユーザーレース予想データ
２６２４  他者予想データ
２６２５  該ユーザーランキングデータ
２６２６  該ユーザー課金・報酬データ
【図１】
2004227400.tif 000003
【図２】
2004227400.tif 000004
【図３】
2004227400.tif 000005
【図４】
2004227400.tif 000006
【図５】
2004227400.tif 000007
【図６】
2004227400.tif 000008
【図７】
2004227400.tif 000009
【図８】
2004227400.tif 000010
【図９】
2004227400.tif 000011
【図１０】
2004227400.tif 000012
【図１１】
2004227400.tif 000013
【図１２】
2004227400.tif 000014
【図１３】
2004227400.tif 000015
【図１４】
2004227400.tif 000016
【図１５】
2004227400.tif 000017
【図１６】
2004227400.tif 000018
【図１７】
2004227400.tif 000019
【図１８】
2004227400.tif 000020
【図１９】
2004227400.tif 000021
【図２０】
2004227400.tif 000022
【図２１】
2004227400.tif 000023
【図２２】
2004227400.tif 000024
【図２３】
2004227400.tif 000025
【図２４】
2004227400.tif 000026
【図２５】
2004227400.tif 000027
【図２６】
2004227400.tif 000028
【図２７】
2004227400.tif 000029
【図２８】
2004227400.tif 000030
【図２９】
2004227400.tif 000031
【図３０】
2004227400.tif 000032
【図３１】
2004227400.tif 000033
【図３２】
2004227400.tif 000034
【図３３】
2004227400.tif 000035